(57)【要約】  本発明では、複雑な補正計算を行うことなく、クロストークの発生を抑える方法を提供する。本発明の液晶表示装置（１０）は、複数のゲートライン、複数のソースライン、画像を構成する複数色のうちの何れかの色を有する画素電極、およびスイッチング素子を備えたアクティブマトリクス基板を有している。この液晶表示装置（１０）では、表示領域を複数の画素電極を含む領域に分割し、該領域内に含まれる同色の画素電極間において、上記階調値の再構成を行うためのＲＧＢ再構成部（１２）を有している。ＲＧＢ再構成部（１２）は、隣接する２本のソースラインの間に配置され、該２本のソースラインのうちの一方に接続された画素電極の階調値と、上記隣接する２本のソースラインのうちの他方に接続された画素電極の階調値との差分を算出し、上記差分が再構成前の差分と比較して小さくなるように、上記階調値の再構成を行う。
2011083606.tif 000002
【特許請求の範囲】
【請求項１】
複数のゲートラインと、
該ゲートラインに交差するように配置された複数のソースラインと、
隣接する２本のソースラインおよび隣接する２本のゲートラインの間に設けられ、画像を構成する複数色のうちの何れかの色を有する画素電極と、
上記ゲートラインと上記ソースラインとの交差部近傍に設けられ、上記ゲートラインの一つおよび上記ソースラインの一つと接続されているスイッチング素子とを備えたアクティブマトリクス基板を有し、
上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置であって、
該表示装置の表示領域を、複数の画素電極を含む領域に分割し、該領域内に含まれる同色の画素電極間において、上記階調値の再構成を行うための再構成部を有しており、
上記再構成部は、上記隣接する２本のソースラインの間に配置され、該２本のソースラインのうちの一方に接続された画素電極の階調値と、上記２本のソースラインのうちの他方に接続された画素電極の階調値との差分を算出し、上記差分が再構成前の差分と比較して小さくなるように、上記階調値の再構成を行うことを特徴とする表示装置。
【請求項２】
上記再構成部は、上記隣接する２本のソースラインのうちの一方に接続された画素電極の階調値と、上記隣接する２本のソースラインのうちの他方に接続された画素電極の階調値との差分を色ごとに算出し、さらに、各色間での上記差分が再構成前の差分と比較して小さくなるように、上記階調値の再構成を行うことを特徴とする請求項１に記載の表示装置。
【請求項３】
上記再構成部は、各色間での上記差分が最も小さくなるように画素電極の階調値の組合せを再構成することを特徴とする請求項２に記載の表示装置。
【請求項４】
上記画像を構成する複数色は、赤、緑、青の３色であり、
上記再構成部は、上記３色のうちの緑の画素電極については、上記階調値の再構成を行わず、各色間での上記差分が再構成前の差分と比較して小さくなるように、赤および青の画素電極について上記階調値の再構成を行うことを特徴とする請求項２または３に記載の表示装置。
【請求項５】
上記画素電極に入力される階調値のデータによって得られる輝度を画素電極の色ごとに見積もる階調輝度変換部をさらに備え、
上記再構成部は、上記階調輝度変換部において得られた上記領域内の各画素電極の輝度から、最も輝度の高い画素電極を選び出し、その画素電極の階調値は固定し、上記最も輝度の高い画素電極の階調値と、該画素電極を間に挟む隣接する２本のソースラインのうちの上記他方のソースラインと接続された画素電極の階調値との差分が、再構成前の差分と比較して小さくなるように、上記階調値の再構成を行うことを特徴とする請求項１に記載の表示装置。
【請求項６】
上記再構成部は、上記最も輝度の高い画素電極の階調値と上記他方のソースラインと接続された画素電極の階調値との差分が最も小さくなるように、画素電極の階調値の組合せを再構成することを特徴とする請求項５に記載の表示装置。
【請求項７】
上記階調輝度変換部は、各色の階調値と当該階調値における出力輝度とを対応付けたルックアップテーブルを用いて、輝度を算出することを特徴とする請求項５または６に記載の表示装置。
【請求項８】
上記再構成部では、さらに、再構成前の絵素の輝度と、再構成後の絵素の輝度とが変化せず、かつ、上記領域内における各絵素全体で得られる色度が上記再構成の前後で変化しないように、上記階調値の再構成を行うことを特徴とする請求項１に記載の表示装置。
【請求項９】
上記再構成部では、
上記領域内における隣接絵素間での輝度値の差が所定値以下の場合には、上記領域内における各絵素の輝度値を平均化し、さらに、上記領域内における各絵素全体で得られる色度が上記再構成の前後で変化しないように各色の画素の階調値を配分することで、上記の階調値の再構成を行い、
上記領域内における隣接絵素間での輝度値の差が所定値よりも大きい場合には、上記領域内における各絵素の輝度値を平均化し、さらに、上記領域内における各絵素全体で得られる色度が上記再構成の前後で変化しないように各色の画素の階調値を配分した後に、再構成前の絵素の輝度と、再構成後の絵素の輝度とが変化しないように、１つの絵素内の各色の画素について同じ階調分だけ変化させて、隣接絵素間で輝度を再分配することで、上記階調値の再構成を行うことを特徴とする請求項１に記載の表示装置。
【請求項１０】
複数のゲートラインと、
該ゲートラインに交差するように配置された複数のソースラインと、
隣接する２本のソースラインおよび隣接する２本のゲートラインの間に設けられ、画像を構成する複数色のうちの何れかの色を有する画素電極と、
上記ゲートラインと上記ソースラインとの交差部近傍に設けられ、上記ゲートラインの一つおよび上記ソースラインの一つと接続されているスイッチング素子とを備えたアクティブマトリクス基板を有し、
上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置の駆動方法であって、
該表示装置の表示領域を、複数の画素電極を含む領域に分割し、
上記領域内に含まれる同色の画素電極間において、上記隣接する２本のソースラインの間に配置され、該２本のソースラインのうちの一方に接続された画素電極の階調値と、上記２本のソースラインのうちの他方に接続された画素電極の階調値との差分を算出し、
上記差分が再構成前の差分と比較して小さくなるように、上記階調値の再構成を行うことを特徴とする表示装置の駆動方法。
【請求項１１】
上記階調値の再構成を行う工程では、上記隣接する２本のソースラインのうちの一方に接続された画素電極の階調値と、上記隣接する２本のソースラインのうちの他方に接続された画素電極の階調値との差分を色ごとに算出し、さらに、各色間での上記差分が再構成前の差分と比較して小さくなるように、上記階調値の再構成を行うことを特徴とする請求項１０に記載の表示装置の駆動方法。
【請求項１２】
上記画素電極に入力される階調値のデータによって得られる輝度を画素電極の色ごとに見積もる階調輝度変換工程をさらに含み、
上記階調値の再構成を行う工程では、上記階調輝度変換工程において得られた上記領域内の各画素電極の輝度から、最も輝度の高い画素電極を選び出し、その画素電極の階調値は固定し、上記最も輝度の高い画素電極の階調値と、該画素電極を間に挟む隣接する２本のソースラインのうちの上記他方のソースラインと接続された画素電極の階調値との差分が、再構成前の差分と比較して小さくなるように、上記階調値の再構成を行うことを特徴とする請求項１０に記載の表示装置の駆動方法。
【請求項１３】
上記階調値の再構成を行う工程では、さらに、再構成前の絵素の輝度と、再構成後の絵素の輝度とが変化せず、かつ、上記領域内における各絵素全体で得られる色度が上記再構成の前後で変化しないように、上記階調値の再構成を行うことを特徴とする請求項１０に記載の表示装置の駆動方法。
【請求項１４】
上記階調値の再構成を行う工程では、
上記領域内における隣接絵素間での輝度値の差が所定値以下の場合には、上記領域内における各絵素の輝度値を平均化し、さらに、上記領域内における各絵素全体で得られる色度が上記再構成の前後で変化しないように各色の画素の階調値を配分することで、上記の階調値の再構成を行い、
上記領域内における隣接絵素間での輝度値の差が所定値よりも大きい場合には、上記領域内における各絵素の輝度値を平均化し、さらに、上記領域内における各絵素全体で得られる色度が上記再構成の前後で変化しないように各色の画素の階調値を配分した後に、再構成前の絵素の輝度と、再構成後の絵素の輝度とが変化しないように、１つの絵素内の各色の画素について同じ階調分だけ変化させて、隣接絵素間で輝度を再分配することで、上記階調値の再構成を行うことを特徴とする請求項１０に記載の表示装置の駆動方法。
【発明の詳細な説明】
【技術分野】
【０００１】
本発明は、薄膜トランジスタなどのスイッチング素子をマトリクス状に配置したアクティブマトリクス型の表示装置の駆動方法、およびその駆動方法を採用した表示装置に関するものである。
【背景技術】
【０００２】
ＴＦＴ液晶パネルなどのアクティブマトリクス型の表示装置は、各画素に電圧（データ）を印加すると次の電圧印加までその状態（輝度）が保たれ、１フレームの間その表示がなされる。通常ＴＶなどの表示ではフレーム周波数ごとにデータが書き換えられるため、ＴＦＴ液晶パネルの画素には１フレームの間、そのデータに対応する一定の輝度が保たれることになる。このような表示方式はホールドモードと呼ばれる。【０００３】
ＴＦＴ液晶パネルは、ＴＦＴ基板と対向基板との間に液晶層が挟まれた構造をしている。対向基板には一面に対向電極が存在し、ＴＦＴ基板には、画素毎にＴＦＴ素子が存在し、そのドレインが画素電極に接続されている。ＴＦＴ基板には、ＴＦＴ素子に対してデータ電圧を供給する複数のソースライン、および、ＴＦＴをＯＮする複数のゲートラインが縦横に配列しており、各ソースラインおよびゲートラインの交差部近傍にＴＦＴ素子が形成されている。ＴＦＴ素子のソースおよびゲートは、ソースラインおよびゲートラインにそれぞれ接続されている。【０００４】
このような構成のＴＦＴ液晶パネルでは、ゲートラインの電圧（ゲート電圧）が高い値になったときに、ＴＦＴがＯＮとなり、ソースラインの電圧（ソース電圧）がドレイン側の画素電極へ印加される。また、ゲート電圧が低い時、ゲートはＯＦＦし、画素電極の電荷が保たれる。【０００５】
上記説明はＴＮ(Twisted Nematic)モードなど縦電界により液晶分子の配列を制御するパネル構造の説明であるが、ＩＰＳなど横電界により駆動する方式でも、対向電極がＴＦＴ基板上にあることを除いては、基本的には同じである。以下では、上記ＴＮモードのＴＦＴパネル場合を例に挙げて説明する。【０００６】
（ドット反転駆動、ライン反転駆動の説明）
図１９に、従来のＴＦＴ液晶パネルの等価回路を示す。従来、このようなＴＦＴ液晶パネルを駆動する場合には、ある階調の透過率となる液晶配向とするために、対向電極に対する画素電極の電位差が、その透過率に対応する電位差となり、フレーム毎に正、負極性が反転するように、画素電極に電圧を印加する。この場合の極性は、対向電極に対する電圧の極性を意味し、以下、極性はこの意味で使用する。このように、液晶は交流駆動される。パネル上の画素全体に同一の極性の電圧を印加し、フレーム毎に正負を変化させると、正負の微妙な電位差によりフリッカが起こり、画質が悪くなる。これを改善するために、１フレーム期間内で１ライン毎に極性を変えるライン反転駆動や、１画素毎に極性を変えるドット反転駆動がある。【０００７】
ドット反転駆動では、１画面上において＋極性と−極性が交互に存在するため、上記のようなフリッカなどが軽減する。パネルの解像度が低いＶＧＡなどでは、ライン反転駆動も多く存在したが、現在のように解像度の高い高精細なパネル、および、大型のパネルでは、ほとんどがドット反転駆動となっている。【０００８】
図１９にあるような等価回路のパネルを駆動する場合には、送られてくる画素データをソースドライバに蓄え、１ラインのデータが蓄えられたときに、走査線（ゲート電圧）をHighにしＴＦＴをＯＮにすると同時に、ソースドライバにより、ソースラインにデータ電圧が印加される。ライン反転駆動、ドット反転駆動の場合には、ＴＦＴを介してソースラインに接続されている画素に印加する電圧がライン毎に逆極性となるため、１ライン毎に極性が異なる電圧が印加される。【０００９】
（ドット反転駆動、ライン反転駆動において発生するカラークロストークの説明）
上記のように、１ソースラインごとに異なる電圧を印加する従来のＴＦＴパネルでは、画素電極とソースラインとで発生する寄生容量によって画素電圧が変化してしまう。この画素電圧の変化は、「画素電圧引き込み」と呼ばれる。この画素電圧引き込みが発生すると、画素電極の電圧が変化してしまい、所望の階調を得ることができなくなってしまうという現象（この現象は、「クロストーク」と呼ばれる）が発生する。【００１０】
特に、カラー画像を表示するＴＦＴパネルでは、カラー画像の表示単位としてのＲ（赤）、Ｇ（緑）、Ｂ（青）の画素をそれぞれ形成するための３つの画素部が隣接して配置されており、各表示単位に対応する当該３つの画素部の間でクロストークによる画素電極の電位への影響（の程度や方向）が異なる場合には、所望の色彩を表示できないという現象（この現象は、「カラークロストーク」と呼ばれる）が生じる。【００１１】
このクロストークについて、以下に説明する。【００１２】
図２０は、クロストークが発生する原理を説明するための図である。図２０の（ａ）は、画素とその両側に配置されたソースラインとの間に発生する寄生容量を模式的に示す図であり、図２０の（ｂ）は、画素電圧引き込みが発生する様子を模式的に示す図である。【００１３】
図２０の（ａ）に示すように、パネル画素の両側にはソースラインがあり、画素と各ソースラインとの間に寄生容量が存在する。ＴＦＴパネルの画素に電圧を印加する場合、水平期間内にその画素のＴＦＴにつながっているゲートラインの電圧がhighになりＴＦＴがＯＮし、ソースラインに印加された電圧がＴＦＴを介して画素へ印加される。ゲートラインの電圧がlowになると、ＴＦＴがＯＦＦし、その画素電極へ印加された電荷が保たれるため、当該画素における電圧が保たれる。しかしながら、上述したように、画素とソースラインとの間には寄生容量があるため、ソースラインの電圧が変化するとその電位差により画素電圧が変化する（図２０の（ｂ）参照）。【００１４】
図２１には、従来のＴＦＴパネルにおいてドット反転駆動を行ったときの画素電圧の変化の一例を示す模式図である。図２１では、４本の走査線を有するドット反転パネルにおいて、ある画素（当該画素）に対向電圧に対して大きな電位差を有する電圧を印加し、その画素の隣のソースラインには対向電極に対して電位差のない電圧が印加された場合の画素電位の引込みを表している。図２１の（ａ）〜（ｃ）には、自ソースライン（ＴＦＴを介して当該画素に接続されているソースライン）の電圧変化、隣接ソースラインの電圧変化、当該画素の電圧変化をそれぞれ示す。図２１に示すように、上記の場合には、画素電圧が自ソースラインの電圧によって引き込まれていることがわかる。【００１５】
一方、図２２には、図２１と同じドット反転パネルにおいて、自ソースラインと隣接ソースラインとに同じデータ電圧を印加した場合の画素電圧変化の例を示す図である。図２２の（ａ）〜（ｃ）には、自ソースライン（ＴＦＴを介して当該画素に接続されているソースライン）の電圧変化、隣接ソースラインの電圧変化、当該画素の電圧変化をそれぞれ示す。【００１６】
図２１と図２２とを比べれば分かるように、例えば、Ｒのみの単色で表示を行った場合のように自ソースラインと隣接ソースラインとに異なる電圧が印加された場合と、例えば、全色で表示を行った場合のようにソースラインと隣接ソースラインとに同じ電圧が印加された場合とでは、画素の表示輝度が異なる。これがカラークロストークの原因である。【００１７】
（カラークロストークの典型的な例）
以下には、カラークロストークが発生する例と発生しない例とを示す。【００１８】
まず、カラークロストークが起こらない例として２つ説明する。【００１９】
第１の例は、白べた表示の場合（例えば、全て９６階調の図２３のような場合）は、ＲＧＢともに図２２で示されたような画素書込み電圧となり、引き込み電圧による画素電圧変化によるＲＧＢの輝度比の変化は起こらない。【００２０】
第２の例は、図２４のように、１画素毎に０−９６階調が繰り返される場合は、出力輝度は０階調と９６階調との平均になるが、９６階調を表示するＲＧＢとも隣接画素が０階調であるため、図２１で示されるような画素電圧となり、全体として輝度が低下する。しかしながら、その電圧の低下はＲＧＢで同じであり、色度のシフトはない。【００２１】
次に、カラークロストークが起こる例として３つ説明する。【００２２】
第１の例は、図２５に示すような１絵素毎に０−９６階調が表示される場合である。ここで、１絵素とは、ＲＧＢの３画素を含んで構成される。この場合、青画素が隣接画素と常に異なる階調表示となる一方、赤、緑の画素は隣接画素と同じ９６階調を表示するため、赤、緑の９６階調表示をする画素の電圧は、図２２に示すような引き込みのない電圧となるのに対して、青画素の電圧は、図２１に示すような電圧引き込みのある値となる。このため、ノーマリーブラックパネルの場合、青の輝度が赤、緑に比べ低くなり、出力色度値が黄色側へシフトする。【００２３】
第２の例は、図２６のような階調表示を行う場合である。この場合には、上記と同様の理由により、緑画素の電圧（９６階調表示画素電圧）は図２１のようになり、赤、青画素は、図２２のようになるため、色度値は紫色側へシフトする。【００２４】
第３の例は、図２７のような階調表示を行う場合である。この場合は、上記と同様の理由により、赤画素の電圧（９６階調の画素電圧）は図２１のように電圧引き込みがあり、緑、青画素は図２２のように引き込みのない電圧になるため、色度値は水色側へシフトする。【００２５】
（特許文献１について）
上記のようなカラークロストークを改善するための方法として、特許文献１には、補正値を予め計算して作成した２種類のルックアップテーブル（基本ＬＵＴおよび詳細ＬＵＴ）を用いて、入力信号（データ）を変換するという方法が開示されている。ここで、基本ＬＵＴには、自画素に入力される第１の表示階調と、自画素に隣接する隣接画素に入力される第２の表示階調の組み合わせに対応付けて、所定の間隔をあけた第１表示階調および第２の表示階調ごとに階調補正量が格納されている。また、詳細ＬＵＴには、上記所定の間隔よりも小さい間隔の表示階調ごとに階調補正量が格納されている。そして、このような２種類のＬＵＴを使用して階調補正量を求めることによって、より理想的な補正を可能とすると記載されている。
【先行技術文献】
【特許文献】
【００２６】
【特許文献１】特開２００７−１７８５６１号公報（２００７年７月１２日公開）
【発明の概要】
【発明が解決しようとする課題】
【００２７】
上記特許文献１の方法では、書き込み直前の自画素のデータおよび隣接画素のデータの組み合わせにより、ＬＵＴと演算を用いて補正値データを出力している。しかし、ソースラインとの結合容量により発生する画素電圧の変化は、画素に電圧が保持されている期間中、その画素の表示輝度に影響を与える（図２１参照）。そのため、ソースラインとの容量結合による引込み電圧を考慮するには、書き込み直前の隣接画素及び自画素のデータだけでなく、それから１フレーム期間にソースラインに送られるデータを考慮する必要がある。つまり、書き込み直前のデータのみでは、適正な補正値を出力することができない。【００２８】
また、上記のように、ソースラインの１フレーム期間のデータ変化が、任意の書き込み画素の電圧変化に影響を及ぼす。そのため、上記特許文献１の方法のように、自画素のデータを補正してソースラインにデータを送る場合は、書き込みが行われる画素の１垂直ライン（ソースライン）の補正後のデータと隣接画素の１垂直ラインのデータとを考慮し、引込み電圧が補正できているように計算しなければならない。このような場合、１フレームのデータを記憶するメモリが必要になる。また、莫大な量の演算を行わなければならず、ＬＵＴを用いた処理では不可能に近い。つまり、単純な補正計算による補正値では、補正することができない場合が数多く存在する。【００２９】
本発明は、上記の問題点に鑑みてなされたものであり、複雑な補正計算を行うことなく、クロストークの発生を抑える方法を提供することを目的とする。
【課題を解決するための手段】
【００３０】
本発明にかかる表示装置は、上記の課題を解決するために、複数のゲートラインと、該ゲートラインに交差するように配置された複数のソースラインと、隣接する２本のソースラインおよび隣接する２本のゲートラインの間に設けられ、画像を構成する複数色のうちの何れかの色を有する画素電極と、上記ゲートラインと上記ソースラインとの交差部近傍に設けられ、上記ゲートラインの一つおよび上記ソースラインの一つと接続されているスイッチング素子とを備えたアクティブマトリクス基板を有し、上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置であって、該表示装置の表示領域を、複数の画素電極を含む領域に分割し、該領域内に含まれる同色の画素電極間において、上記階調値の再構成を行うための再構成部を有しており、上記再構成部は、上記隣接する２本のソースラインの間に配置され、該２本のソースラインのうちの一方に接続された画素電極の階調値と、上記２本のソースラインのうちの他方に接続された画素電極の階調値との差分を算出し、上記差分が再構成前の差分と比較して小さくなるように、上記階調値の再構成を行うことを特徴とする。【００３１】
また、本発明にかかる表示装置の駆動方法は、上記の課題を解決するために、複数のゲートラインと、該ゲートラインに交差するように配置された複数のソースラインと、隣接する２本のソースラインおよび隣接する２本のゲートラインの間に設けられ、画像を構成する複数色のうちの何れかの色を有する画素電極と、上記ゲートラインと上記ソースラインとの交差部近傍に設けられ、上記ゲートラインの一つおよび上記ソースラインの一つと接続されているスイッチング素子とを備えたアクティブマトリクス基板を有し、上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置の駆動方法であって、該表示装置の表示領域を、複数の画素電極を含む領域に分割し、上記領域内に含まれる同色の画素電極間において、上記隣接する２本のソースラインの間に配置され、該２本のソースラインのうちの一方に接続された画素電極の階調値と、上記２本のソースラインのうちの他方に接続された画素電極の階調値との差分を算出し、上記差分が再構成前の差分と比較して小さくなるように、上記階調値の再構成を行うことを特徴とする。【００３２】
ここで、「該領域内に含まれる同色の画素電極間において、上記階調値の再構成を行う」とは、領域内に含まれる同色の画素電極同士で、互いの階調値を入れ替えること、または、領域内に含まれる同色の画素電極全体で得られる輝度を変更することなく、該同色の画素電極の階調値の配分を、再構成前の階調値から変更することを意味する。【００３３】
上記の構成または方法では、隣接する２本のソースラインのうちの一方に接続された画素電極の階調値と、他方に接続された画素電極の階調値との差分を算出し、上記差分が再構成前の差分と比較して小さくなるように階調値の再構成を行っている。これにより、上記一方のソースラインに接続された画素電極において、上記他方のソースラインの電圧との間で発生する寄生容量の影響によって画素電圧が変化してしまう、いわゆる「画素電圧引き込み」の発生を低減させることができる。これにより、クロストークの発生を抑えることができる。【００３４】
また、上記の構成または方法では、上述した方法で画素電極の階調値の再構成を行うことによってクロストークの発生を抑えているため、従来の方法と比較して、より単純な演算で処理を行うことができる。【００３５】
したがって、上記の構成または方法によれば、複雑な補正計算を行うことなく、クロストークの発生を抑えることができる。
【発明の効果】
【００３６】
本発明の表示装置または駆動方法によれば、複雑な補正計算を行うことなく、クロストークの発生を抑えることができる。
【図面の簡単な説明】
【００３７】
【図１】本発明の一実施の形態にかかる液晶表示装置の構成を示すブロック図である。
【図２】図１に示す液晶表示装置に備えられたＴＦＴ液晶パネルの構成を示す断面図である。
【図３】図１に示す液晶表示装置に備えられたＴＦＴ液晶パネルの構成を示す平面図である。
【図４】図３に示すＴＦＴ液晶パネル内の画素配列を示す模式図である。
【図５】図４に示す画素配列における再構成前の階調値の一例を示す模式図である。
【図６】（ａ）は、図５に示す画素配列を再構成した後の画素配列の一例を示す模式図である。（ｂ）は、図５に示す画素配列を再構成した後の画素配列における階調値の一例を示す模式図である。
【図７】（ａ）は、あるＴＦＴ液晶パネルにおいて、表示領域の全画素に対して図６と同様の再構成処理を行った場合のｘ−ｙ色度を示す表である。（ｂ）は、あるＴＦＴ液晶パネルにおいて、表示領域の全画素に対して図６と同様の再構成処理を行った場合のｘ−ｙ色度を示すグラフである。
【図８】（ａ）は、図５に示す画素配列を再構成した後の画素配列の別の一例を示す模式図である。（ｂ）は、図５に示す画素配列を再構成した後の画素配列における階調値の別の一例を示す模式図である。
【図９】（ａ）は、あるＴＦＴ液晶パネルにおいて、表示領域の全画素に対して図８と同様の再構成処理を行った場合のｘ−ｙ色度を示す表である。（ｂ）は、あるＴＦＴ液晶パネルにおいて、表示領域の全画素に対して図８と同様の再構成処理を行った場合のｘ−ｙ色度を示すグラフである。
【図１０】輝度および色度の空間周波数特性を示すグラフである。
【図１１】本発明の実施の形態２および実施の形態３にかかる液晶表示装置の構成を示すブロック図である。
【図１２】実施の形態２におけるＴＦＴ液晶パネル内の画素配列を示す模式図である。
【図１３】図１２に示す画素配列における再構成前の階調値の一例を示す模式図である。
【図１４】（ａ）は、図１２に示す画素配列を再構成した後の画素配列の一例を示す模式図である。（ｂ）は、図１２に示す画素配列を再構成した後の画素配列における階調値の一例を示す模式図である。
【図１５】実施の形態３におけるＴＦＴ液晶パネル内の画素配列を示す模式図である。
【図１６】図１５に示す画素配列における再構成前の階調値の一例を示す模式図である。
【図１７】図１６に示す画素配列を再構成した後の画素配列における階調値の一例を示す模式図である。
【図１８】本発明の液晶表示装置に備えられたＴＦＴ液晶パネル内の画素配列の他の例を示す模式図である。
【図１９】従来のＴＦＴ液晶パネルの等価回路図である。
【図２０】クロストークが発生する原理を説明するための図である。
【図２１】従来のＴＦＴパネルにおいてドット反転駆動を行ったときの画素電圧の変化の一例を示す模式図である。
【図２２】従来のＴＦＴパネルにおいてドット反転駆動を行ったときの画素電圧の変化の別の例を示す模式図である。
【図２３】カラークロストークが起こらない第１の例を示す模式図である。
【図２４】カラークロストークが起こらない第２の例を示す模式図である。
【図２５】カラークロストークが起こる第１の例を示す模式図である。
【図２６】カラークロストークが起こる第２の例を示す模式図である。
【図２７】カラークロストークが起こる第３の例を示す模式図である。
【発明を実施するための形態】
【００３８】
〔実施の形態１〕
本発明の一実施形態について図１〜図１０に基づいて説明すると以下の通りである。なお、本発明はこれに限定されるものではない。
【００３９】
本実施の形態では、本発明の表示装置の一例として、スイッチング素子としてＴＦＴを有し、ドット反転駆動を行うアクティブマトリクス型のカラー液晶表示装置を挙げて説明する。
【００４０】
（液晶表示装置の概略構成）
図１には、本実施の形態にかかる液晶表示装置の構成を示す。本実施の形態の液晶表示装置１０は、フルＨＤ、または、４Ｋ２Ｋなどの高解像度および高精細のＴＦＴ液晶パネルを備えている。図１に示すように、液晶表示装置１０は、ラインバッファ部１１、ＲＧＢ再構成部１２、データバッファ部１３、タイミング制御部１４、および、ＴＦＴ液晶パネル（表示部）１５を主な構成として備えている。図２には、ＴＦＴ液晶パネル１５の断面の概略構成を示す。また、図３には、ＴＦＴ液晶パネル１５の平面構成を示す。
【００４１】
図２に示すように、ＴＦＴ液晶パネル１５は、ＴＦＴ基板２１と対向基板２２との間に液晶層２３が挟まれた構造をしている。対向基板２２には一面に対向電極３６が存在し、ＴＦＴ基板２１には、画素毎にＴＦＴ素子が存在し、そのドレインが画素電極３４に接続されている。
【００４２】
また、図３に示すように、ＴＦＴ基板２１上には、ＴＦＴ素子３３に対してデータ電圧を供給する複数のソースライン３１・３１…、および、ＴＦＴをＯＮする複数のゲートライン３２・３２…が縦横に配列しており、各ソースラインおよびゲートラインの交差部近傍にＴＦＴ素子３３が形成されている。ＴＦＴ素子３３のソースおよびゲートは、ソースライン３１およびゲートライン３２にそれぞれ接続されている。また、上記したように、ＴＦＴ素子３３のドレインは、画素電極３４に接続されている。画素電極３４上には、それぞれ赤（Ｒ）、緑（Ｇ）、青（Ｂ）のカラーフィルタが設けられており、ＲＧＢの各画素を構成する。本実施の形態では、図３の破線で囲んだ部分を１画素とし、ＲＧＢ３色の画素を１個ずつ含む３画素（図３の一点鎖線で囲んだ部分）を１絵素とする。
【００４３】
上記の構成を有するＴＦＴ液晶パネル１５のソースライン３１には、図１に示すラインバッファ部１１、ＲＧＢ再構成部１２（再構成部）、データバッファ部１３、タイミング制御部１４を経由してデータ処理が行われた画像信号が、データ電圧として供給される。
【００４４】
ラインバッファ部１１は、図示しない画像処理回路において生成されたＲＧＢ画像データ（入力データ信号）を一旦格納するためのバッファである。このラインバッファ部１１では、データ信号が次に送信されるＲＧＢ再構成部１２において、隣接する複数の画素のデータ信号を同時に処理できるように、入力データ信号を一時的に蓄えておく。
【００４５】
ＲＧＢ再構成部１２は、ある画素（自画素）とそれに隣接する画素との間でデータ（階調値）の差を比較し、各色間でその差が最も小さくなるように、ＲＧＢ各色の画素についてそれぞれ再構成（再配置）し、データバッファ部１３へ出力する。なお、ここで自画素とは、ＴＦＴパネル内の任意の各画素のことを意味し、自画素に隣接する画素とは、自画素において上述した画素電圧引き込みを発生させる原因となるソースラインにＴＦＴを介して接続されている画素のことをいう。
【００４６】
図１には、ある一領域に含まれる１２画素分の画像データで構成される入力データの一例をＤａｔａＡとして示す。また、ＲＧＢ再構成部１２によって画像データの再構成が行われた後のデータの一例をＤａｔａＢとして示す。なお、ここに示すＤａｔａＡからＤａｔａＢへの変換は一例に過ぎず、本発明はこれに限定はされない。
【００４７】
データバッファ部１３は、タイミング制御部１４へデータ信号を送信する前に、データ信号の並びを元の順序（タイミング）に戻す。
【００４８】
タイミング制御部１４は、データバッファ部１３から送信されたデータ信号を所定のタイミングでＴＦＴ液晶パネル１５へデータ信号を送信する。
【００４９】
本実施の形態の液晶表示装置１０は、ＲＧＢ再構成部１２において、ＲＧＢ各色の画素について、データ（階調値）を隣接する画素との間で交換するという処理が行われる。そして、この処理によりカラークロストークの発生を抑えている。
【００５０】
（ＲＧＢ構成部１２で行われるデータ処理について）
以下には、ＲＧＢ再構成部１２において行われるデータ処理の具体例について説明する。
【００５１】
このデータ処理では、画像表示領域に含まれる全絵素を、縦２絵素×横２絵素（縦６画素×横２画素）の合計４絵素（１２画素）ごとに分割し、分割された各領域を一つの領域として選択する。ＲＧＢ再構成部１２では、この各領域内に含まれる画素について再構成（最配置）を行う。図１には、ある一領域に含まれる１２画素分の画像データで構成される入力データの一例をＤａｔａＡとして示す。
【００５２】
ここで、画像データの再構成の方法について、具体的に説明する。図４には、データ処理が行われる画素配列を模式的に示す。図４に示す画素配列では、赤色の画素５０をＲｎ（ここで、ｎは１〜１６までの整数）、緑色の画素５０をＧｎ（ここで、ｎは１〜１６までの整数）、青色の画素５０をＢｎ（ここで、ｎは１〜１６までの整数）とし、左上の角の絵素に含まれるＲＧＢ各画素を１として順に番号を付している。
【００５３】
ここで、図４に示す画素配列中の破線で囲んだ部分を上記の一領域Ｄ１とし、この領域に対して画像データの再構成を行う方法について説明する。
【００５４】
ＲＧＢ再構成部１２では、上記の一領域Ｄ１について画像データの再構成処理を行う場合には、ラインバッファ部１１から入力された各画素の画像データのうち、一点鎖線で囲んだ部分の領域Ｄ２内の各画素のデータ（階調値）を参照する。
【００５５】
まず、領域Ｄ１内のＲ，Ｇ，Ｂの各画素について、画素電圧引き込みに関係するソースラインに接続されている画素（便宜上、この画素を隣接画素と呼ぶ）のデータ（階調値）と、自画素のデータ（階調値）との差を求める。本実施の形態では、上記隣接画素は自画素の右隣に位置する画素である。そして、Ｒの各画素、Ｇの各画素、Ｂの各画素について、上記の差の積算値をそれぞれ求める。
【００５６】
ここで、ＲＧＢ各色の差の積算値をそれぞれ、ＳＲ＿ｍ、ＳＧ＿ｍ、ＳＢ＿ｍとすると、図４の領域Ｄ１に関しては、上記積算値を以下のような式で求めることができる。なお、以下の式において、ａｂｓ（ｘ−ｙ）とは、ｘとｙとの差の絶対値を意味する。また、Ｒｐ，Ｇｐ，Ｂｐ，Ｒｑ，Ｇｑ，Ｂｑ（ｐ、ｑは１以上の整数）は、該当する画素の階調値を意味する。
【００５７】
ＳＲ＿ｍ＝Σａｂｓ（Ｒｐ−Ｇｑ）                      式（Ａ）
（ここで、ｐ，ｑは、それぞれ２，３，６，７の任意の組合せ）
ＳＧ＿ｍ＝Σａｂｓ（Ｇｐ−Ｂｑ）                      式（Ｂ）
（ここで、ｐ，ｑは、それぞれ２，３，６，７の任意の組合せ）
ＳＢ＿ｍ＝Σａｂｓ（Ｂｐ−Ｒｑ）                      式（Ｃ）
（ここで、ｐは２，３，６，７、ｑは３，４，７，８の任意の組合せ）
次に、ＲＧＢ各色の差の積算値ＳＲ＿ｍ、ＳＧ＿ｍ、及びＳＢ＿ｍについて、互いの差分の合計Ｓを、以下の式に基づいて求める。
【００５８】
Ｓ＝ａｂｓ（ＳＲ＿ｍ−ＳＧ＿ｍ）＋ａｂｓ（ＳＲ＿ｍ−ＳＢ＿ｍ）
＋ａｂｓ（ＳＲ＿ｍ−ＳＧ＿ｍ）                    式（Ｄ）
ＲＧＢ再構成部１２では、上記に式に基づいて算出されるＳが最も小さくなるような上記ｐ、ｑの組合せを抽出する。そして、この抽出されたｐ、ｑの組合せに基づいて、領域Ｄ１内の各画素の配置を変更する。
【００５９】
（データ処理の具体例１）
続いて、上述したデータ処理方法を、具体的な画素配列に適用した場合の例について説明する。なお、これは一例であり、本発明はこれに限定はされない。
【００６０】
図５には、図４に示す画素配列における階調値の一例を示す。ここでは、図５に示すような各階調値を有する入力画像データの領域Ｄ１に対して、上記のデータ処理を行う。
【００６１】
ここで、上記の式（Ａ）（Ｂ）（Ｃ）を用いて、入力画像データの領域Ｄ１におけるＳＲ＿ｍ、ＳＧ＿ｍ、およびＳＢ＿ｍを求めると、以下のようになる。
【００６２】
ＳＲ＿ｍ＝ａｂｓ（Ｒ２−Ｇ２）＋ａｂｓ（Ｒ３−Ｇ３）＋ａｂｓ（Ｒ６−Ｇ６）＋（Ｒ７−Ｇ７）＝ａｂｓ（０−０）＋ａｂｓ（９６−９６）＋ａｂｓ（０−０）＋ａｂｓ（９６−９６）＝０
ＳＧ＿ｍ＝ａｂｓ（Ｇ２−Ｂ２）＋ａｂｓ（Ｇ３−Ｂ３）＋ａｂｓ（Ｇ６−Ｂ６）＋（Ｇ７−Ｂ７）＝ａｂｓ（０−０）＋ａｂｓ（９６−９６）＋ａｂｓ（０−０）＋ａｂｓ（９６−９６）＝０
ＳＢ＿ｍ＝ａｂｓ（Ｂ２−Ｒ３）＋ａｂｓ（Ｂ３−Ｒ４）＋ａｂｓ（Ｂ６−Ｒ７）＋（Ｂ７−Ｒ８）＝ａｂｓ（０−９６）＋ａｂｓ（９６−０）＋ａｂｓ（０−９６）＋ａｂｓ（９６−０）＝３８４
また、上記の式（Ｄ）を用いて、入力画像データの領域Ｄ１におけるＲＧＢ各色の互いの差分の合計Ｓを求めると、以下のようになる。
【００６３】
Ｓ＝ａｂｓ（０−０）＋ａｂｓ（０−３８４）＋ａｂｓ（０−３８４）
＝０＋３８４＋３８４＝７６８
以上のように、入力画像データの差分の合計Ｓは７６８となり、その値が大きいため、カラークロストークが発生してしまう（図７の（ｂ）参照）。そこで、ＲＧＢ再構成部１２では、以下のようにして、各画素の配置の再構成を行う。
【００６４】
なお、以下に説明する画素配置の再構成のための演算は、既存の演算回路（ＦＰＧＡ）を用いて行うことができる。また、専用のＩＣ（ＡＳＩＣ）により実現することもできる。
【００６５】
まず、領域Ｄ２内の各画素のデータを参照しながら、領域Ｄ１における各画素の全ての組合せにおけるＳＲ＿ｍ、ＳＧ＿ｍ、およびＳＢ＿ｍを算出し、さらに、ＲＧＢ各色の互いの差分の合計Ｓを求める。そして、得られた値Ｓが最も小さくなる各画素の組合せを選出する。
【００６６】
図６の（ａ）には、選出された各画素の組合せを示す。また、図６の（ｂ）には、画素配置の再構成が行われた後の各画素の階調値を示す。
【００６７】
図６の（ａ）に示すように、選出された組合せでは、入力画像データからＧ２とＧ３とが入れ替わり、Ｇ６とＧ７とが入れ替わっている。ＲＧＢ再構成部１２では、選出されたこの組合せに基づいて、入力画像データ（ＤａｔａＡ）の各画素の階調値を入れ替える。これにより、出力画像データ（ＤａｔａＢ）の各画素の階調値は、図６の（ｂ）に示すようになる。
【００６８】
図６の（ｂ）に示すような配置となった場合のＳＲ＿ｍ、ＳＧ＿ｍ、及びＳＢ＿ｍは、それぞれ、ＳＲ＿ｍ＝３８４、ＳＧ＿ｍ＝３８４、ＳＢ＿ｍ＝３８４となり、その値は全て同じになる。
【００６９】
したがって、互いの差分の合計Ｓは、
Ｓ＝０＋０＋０＝０となり、最も小さくなる。
【００７０】
以上より、図５に示す入力画像データの領域Ｄ１に関しては、図６（ｂ）に示すように画素配置の再構成を行うことで、ＲＧＢ各色における画素電圧引き込みの割合は同じとなる。
【００７１】
ここでは、一領域Ｄ１についての例を示したが、上記のデータ処理を表示領域内の全ての画素に対して行うことにより、パネル全体で色度のシフトが起こらなくなり、カラークロストークを改善することができる。
【００７２】
図７には、あるＴＦＴ液晶パネルにおいて、上記の処理を表示領域の全画素に対して行った場合のｘ−ｙ色度を示す。図７では、比較のために、白べた表示（ＲＧＢ全画素が最大階調である９６階調のときの表示）のｘ−ｙ色度、および、再構成前の入力画像データのｘ−ｙ色度についても示す。
【００７３】
図７の（ａ）の表に示すように、白べたの場合のｘ，ｙに対して、再構成前（縦１絵素ラインごとに白−黒を交互に配置）の場合は、ｘ，ｙともに値が大きくなる方向にシフトしている。すなわち、黄色方向へ色度がシフトしている。これに対して、再構成後（ＲＧＢ再構成部１２によるデータ処理後）の場合は、白べたの場合のｘ，ｙに対して、ｘ、ｙともに値の変化がほとんどない。
【００７４】
この結果を図７の（ｂ）のグラフで示すと、再構成前の画像データでは、白べた表示から色度が大きく変化しているのに対して、再構成後の画像データでは、白べた表示からの色度の変化が少ないことがわかる。
【００７５】
ここで、上記「白べた表示」とは、全画素が最大階調である９６階調のときの表示のことをいう。
【００７６】
以上のように、本実施の形態の液晶表示装置１０では、一方のソースラインに接続された画素電極の階調値と、他方のソースラインに接続された画素電極の階調値との差分を色ごとに算出し、さらに、各色間での上記差分が再構成前の差分と比較して小さくなるように階調値の再構成を行っている。上記のような構成により、各色間での画素電圧引き込みの発生の程度の差を小さくすることができる。したがって、高精細または高解像度のＴＦＴ液晶パネルにおいて、カラークロストークを抑えることができる。
【００７７】
（データ処理の具体例２）
上述したように、具体例１の方法で画像データの再構成を行えば、色シフトを少なくすることができる。しかし、その一方で、領域Ｄ１内で画素配列を変換することによって、輝度の解像度が犠牲になる。
【００７８】
そこで、以下に示す具体例２では、解像度の低下を抑えつつ、カラークロストークを減少させる方法について説明する。ここでの方法は、ＲＧＢのうち輝度に最も寄与する色がＧであることに基づき、輝度に最も寄与するＧの画素については再構成を行わないという条件を加えた上で、上記と同様に画素配列の再構成を行う方法である。
【００７９】
本具体例２においても、具体例１と同様に、図５に示すような各階調値を有する入力画像データの領域Ｄ１に対して、データ処理を行う場合の例を示す。なお、これは一例であり、本発明はこれに限定はされない。
【００８０】
ここでは、図５に示す画像データの領域Ｄ１について、Ｇの画素については、その階調値を固定した上で、具体例１と同様に、各画素の全ての組合せにおけるＳＲ＿ｍ、ＳＧ＿ｍ、およびＳＢ＿ｍを算出し、さらに、ＲＧＢ各色の互いの差分の合計Ｓを求める。そして、得られた値Ｓが最も小さくなる各画素の階調値の組合せを選出する。
【００８１】
その結果を、図８に示す。図８の（ａ）には、選出された各画素の組合せを示す。また、図８の（ｂ）には、画素配置の再構成が行われた後の各画素の階調値を示す。
【００８２】
図８の（ａ）に示すように、選出された組合せでは、入力画像データからＢ６とＢ７とが入れ替わっている。ＲＧＢ再構成部１２では、選出されたこの組合せに基づいて、入力画像データ（ＤａｔａＡ）の各画素の階調値を入れ替える。これにより、出力画像データ（ＤａｔａＢ）の各画素の階調値は、図８の（ｂ）に示すようになる。
【００８３】
図８の（ｂ）に示すような配置となった場合のＳＲ＿ｍ、ＳＧ＿ｍ、及びＳＢ＿ｍは、それぞれ、ＳＲ＿ｍ＝０、ＳＧ＿ｍ＝１９２、ＳＢ＿ｍ＝１９２となる。
【００８４】
したがって、互いの差分の合計Ｓは、
Ｓ＝１９２＋１９２＋０＝３８４となり、具体例１と比較して差分はやや大きくなるが、Ｇの階調値を固定した場合の各組合せの中では最も小さくなる。
【００８５】
ここでは、一領域Ｄ１についての例を示したが、上記のデータ処理を表示領域内の全ての画素に対して行うことにより、解像度の悪化を減少させつつ、パネル全体で色度のシフトを低下させ、カラークロストークを改善することができる。
【００８６】
図９には、あるＴＦＴ液晶パネルにおいて、上記の具体例２の処理を表示領域の全画素に対して行った場合のｘ−ｙ色度を示す。図９では、比較のために、白べた表示（ＲＧＢ全画素が最大階調である９６階調のときの表示）のｘ−ｙ色度、および、再構成前の入力画像データのｘ−ｙ色度についても示す。
【００８７】
図９の（ａ）の表に示すように、再構成後の画像データでは、白べたの場合のｘ，ｙに対する変化の量を、再構成前の場合と比較して小さくすることができる。
【００８８】
この結果を図９の（ｂ）のグラフで示すと、再構成前の画像データでは、白べた表示から色度が大きく変化しているのに対して、再構成後の画像データでは、白べた表示からの色度の変化が少ないことがわかる。
【００８９】
また、再構成後の画像データにおけるＧの階調値を、入力画像データと同じにすることで、解像度の低下を最小限に抑えることができる。以下には、輝度に最も寄与するＧの階調値を固定することで解像度の低下が抑えられる理由について説明する。
【００９０】
同じ階調値の表示をしても、例えば、赤９６階調表示と緑９６階調表示ではその輝度に差がある。赤、緑、青の輝度比率は、各種の表示に対する規格があり、例えば、ハイビジョンＴＶ放送の規格では、下記の式のようにその輝度に対するＲＧＢの寄与が規格化されている。
【００９１】
Ｙ＝０．２１３Ｒ＋０．７１５Ｇ＋０．０７２Ｂ
上記の式において、Ｙは輝度信号、Ｒ，Ｇ，Ｂはそれぞれ赤、緑、青の信号である。
【００９２】
このように、Ｇの輝度への寄与は大きい。したがって、その表示色にもよるが、絵素の輝度解像度は、緑の輝度を基本にして決まる場合の映像が多い。そのため、一般的な表示パネルにおいて、ＲＧＢの各画素の構成される絵素の真ん中にＧの画素が位置するように設計される。
【００９３】
以上のような理由により、本具体例のように、緑の画素を固定した上で画像データの再構成を行うことで、自然画表示においては輝度解像度の劣化を小さくすることができる。
【００９４】
（本発明の原理について）
最近の大型ＴＶでは、フルＨＤ（ＦＨＤ）化が進み高精細パネルが用いられ、また、展示会などでは４Ｋ２Ｋ（画素数４０９６×２１６０）というＦＨＤの約４倍の解像度のディスプレイが発表されており、今後も高精細化が進んでいくことが予想される。また、小型ディスプレイにおいても携帯電話でＷＶＧＡパネルが使用されるなど、高精細化の方向に進んでいるといえる。人間の視覚特性は、図１０に示すように、空間解像度周波数特性が輝度と色度において異なっており、輝度に比べて色度の空間解像度は低いことが知られている。
【００９５】
図１０は、人間の視覚特性のうちの空間解像度の周波数特性を表すグラフである。空間解像度の周波数特性とは、単純に言えば、いくつもの縦線を表示した場合、その隙間と線の幅がどのくらいの大きさまで認識できるかを数値化して表したものである。
【００９６】
つまり、輝度の空間解像度周波数特性は、白黒の線で、それぞれの線の幅が変わったときに、どの解像度周波数(白線および黒線の幅)まで人間が認識できるかを表す。また、色度の空間解像度周波数特性は、例えば赤と緑が隣り合う縞模様の間隔が変わったときに、どの解像度周波数(赤と緑の幅)まで認識できるのかを表している。
【００９７】
本発明では、この人間の視覚特性を利用することにより、カラークロストークを改善する。
【００９８】
つまり、高精細のパネルにおいては、条件を満たせば、自画素と隣接する画素との階調値の組合せは、入力された階調値と同一である必要はなく、表示上でカラークロストークが起こりにくい自画素と隣接画素との組合せを見つけることができる。
【００９９】
上記したように、人間の空間解像度の視覚特性は、輝度がバンドパス特性になっており、色度がローパス特性になっている。人間の視覚では、輝度の解像度の識別のほうが、色度の解像度の識別と比べて、高い周波数まで可能である（図１０参照）。
【０１００】
ここで、上記の高精細のパネルとは、その解像度が、輝度を識別できる周波数よりも低く、色度を識別できる周波数よりも高い解像度を持つパネルのことをいう。特に、本実施形態では、人間が識別できる輝度の空間解像度が、人間が識別できる色度の空間解像度に比べて、およそ４倍以上となるような解像度を有する高精細なパネルを想定している。このような高精細のパネルでは、例えば、パネルの解像度が人間の識別できる輝度の空間解像度とほぼ同じであるときに、人間の視覚における色度は、隣接する４つの絵素の平均値として認識される。したがって、ＲＧＢ各画素において、それぞれの色内で再構成を（隣接絵素間で）行っても、人間の色度空間解像度特性により人間には識別できない。
【０１０１】
カラークロストークは、ＲＧＢのバランス（比率）が、ソースラインによる画素電圧引き込みにより、入力信号（入力階調値）に対してその比率が変わることによって起こる。ここでのＲＧＢバランスとは、ＲＧＢの各画素間において、入力階調データと隣接画素の入力階調データとの差分（例えば、Ｒの場合は、Ｒ用のソースラインとＧ用のソースライン）の電圧（入力階調データ）の差）のバランスのことである。
【０１０２】
したがって、例えば、各Ｒ、Ｇ、Ｂが単色出力の場合（例えば、図２４に示すようなＲＧＢ出力の場合）は、色度が変化することはない。また、自画素と隣接画素との組合せによる画素電圧引き込みの発生の程度が、ＲＧＢ間で同程度である場合にも、カラークロストークは発生しない。
【０１０３】
したがって、本実施の形態では、複数の画素を含む一領域内のＲＧＢ出力（階調値）において、自画素と隣接画素との値が近いもの及び自画素と隣接画素との値が大きく離れているものの両方を含む場合に、その出力配置を換えてしまうことにより、色度のシフトを抑えることができる。
【０１０４】
（他の構成例）
次に、本実施の形態の他の構成例について説明する。
【０１０５】
上述した実施の形態では、画像表示領域に含まれる全絵素を、縦２絵素×横２絵素（縦６画素×横２画素）の合計４絵素（１２画素）ごとに分割し、分割された各領域を一つの領域として選択した。しかし、本発明はこのような構成に限定はされず、例えば、図４に示す領域Ｄ１内の１２画素に、Ｒ１０，Ｇ１０，Ｂ１０およびＲ１１，Ｇ１１，Ｂ１２の６画素をさらに加えた合計６絵素（１８画素）を一つの領域とするような例も可能である。
【０１０６】
上記一領域に含むことができる画素の数は、画素ピッチに依存する。つまり、画素ピッチが０．３ｍｍ程度の場合には、一領域に含まれる画素数は、図４に示すように１２個であることが望ましい。一方、画素ピッチが０．２ｍｍ程度の場合には、一領域に含まれる画素数を増加し、上記した１８画素程度にすることができる。この数値は、人間の目の分解能によって決められる。つまり、人間が解像度の低下を認識できない程度までは、領域を拡げることができる。
【０１０７】
なお、人間が認識できる解像度は、視認距離によっても決められる。上記した画素ピッチと一領域内の画素数の関係は、モニタ表示部の縦（垂直方向）の長さをｈとしたときに、その視認距離を１ｈ〜１．５ｈ程度とする場合の例である。
【０１０８】
また、本発明は、ＲＧＢの３原色に黄色（Ｙ）を加えた多原色ＲＧＢＹのパネルに適応することもできる。図１８には、ＲＧＢＹという４色の画素５０で構成されたＴＦＴ液晶パネルの画素配列を示す。図１８に示す画素配列では、ＲＧＢＹの４つの画素５０で一つの絵素が構成される。多原色ＲＧＢＹのパネルにおいても、図１８に示すように、領域Ｄ１および領域Ｄ２に分割し、各領域内で色ごとに階調値の再構成を行う。
【０１０９】
〔実施の形態２〕
本発明の第２の実施形態について図１１〜図１４に基づいて説明すると以下の通りである。なお、本発明はこれに限定されるものではない。
【０１１０】
上述した実施の形態１では、カラークロストークの改善を図ることを目的としていたが、本実施の形態では、画素電圧引き込みに起因して発生する輝度変化（クロストーク）の改善を図ることを目的として構成された表示装置について説明する。本実施の形態では、その一例として、スイッチング素子としてＴＦＴを有し、ドット反転駆動を行うアクティブマトリクス型のカラー液晶表示装置を挙げて説明する。
【０１１１】
（液晶表示装置の概略構成）
図１１には、本実施の形態にかかる液晶表示装置の構成を示す。図１１に示すように、液晶表示装置６０は、ラインバッファ部１１、ＲＧＢ階調−輝度変換部６１（階調輝度変換部）、ＲＧＢ再構成部６２、データバッファ部１３、タイミング制御部１４、および、ＴＦＴ液晶パネル（表示部）１５を主な構成として備えている。
【０１１２】
ＴＦＴ液晶パネル１５の断面構成および平面構成は、図２および図３に示す実施の形態１の構成と同じであるため、ここではその説明を省略する。
【０１１３】
ＴＦＴ液晶パネル１５のソースライン３１には、図１１に示すラインバッファ部１１、ＲＧＢ再構成部１２、データバッファ部１３、タイミング制御部１４を経由してデータ処理が行われた画像信号が、データ電圧として供給される。
【０１１４】
ラインバッファ部１１は、図示しない画像処理回路において生成されたＲＧＢ画像データ（入力データ信号）を一旦格納するためのバッファである。このラインバッファ部１１では、データ信号が次に送信されるＲＧＢ再構成部１２において、隣接する複数の画素のデータ信号を同時に処理できるように、入力データ信号を一時的に蓄えておく。
【０１１５】
ＲＧＢ階調−輝度変換部６１は、ＲＧＢ画像データにおける階調値を輝度値へ変換する。変換されたデータは、ＲＧＢ再構成部６２へ送信される。
【０１１６】
ＲＧＢ再構成部６２は、ＲＧＢ階調−輝度変換部６１から送信された輝度値のデータに基づいて、ある領域内に含まれる複数の画素のうち輝度値の最も大きい画素の階調値を固定し、その画素（これを自画素とする）とそれに隣接する画素との間でデータ（階調値）の差を比較し、その階調値の差が最も小さくなるように、ＲＧＢ各色の画素についてそれぞれ再構成（再配置）し、データバッファ部１３へ出力する。なお、ここで自画素に隣接する画素とは、自画素において上述した画素電圧引き込みを発生させる原因となるソースラインにＴＦＴを介して接続されている画素のことをいう。
【０１１７】
図１１には、ある一領域に含まれる１２画素分の画像データで構成される入力データの一例をＤａｔａＡとして示す。また、ＲＧＢ再構成部１２によって画像データの再構成が行われた後のデータの一例をＤａｔａＢとして示す。なお、ここに示すＤａｔａＡからＤａｔａＢへの変換は一例に過ぎず、本発明はこれに限定はされない。
【０１１８】
データバッファ部１３は、タイミング制御部１４へデータ信号を送信する前に、データ信号の並びを元の順序（タイミング）に戻す。
【０１１９】
タイミング制御部１４は、データバッファ部１３から送信されたデータ信号を所定のタイミングでＴＦＴ液晶パネル１５へデータ信号を送信する。
【０１２０】
本実施の形態の液晶表示装置６０は、ＲＧＢ再構成部６２において、最も輝度の高い画素を自画素とし、該自画素と隣接画素との間の階調値の差を小さくすることで、クロストークの発生し得る画像データにおいて、クロストークの発生しない場合の画像データに対する輝度の変化量を減少させるという処理が行われる。そして、この処理によりクロストークの発生を抑えている。
【０１２１】
（ＲＧＢ構成部６２で行われるデータ処理について）
以下には、ＲＧＢ階調−輝度変換部６１およびＲＧＢ再構成部６２において行われるデータ処理の具体例について説明する。
【０１２２】
このデータ処理では、画像表示領域に含まれる全絵素を、縦２絵素×横２絵素（縦６画素×横２画素）の合計４絵素（１２画素）ごとに分割し、分割された各領域を一つの領域として選択する。ＲＧＢ再構成部６２では、この各領域内に含まれる画素について再構成（最配置）を行う。図１１には、ある一領域に含まれる１２画素分の画像データで構成される入力データの一例をＤａｔａＡとして示す。
【０１２３】
ここで、画像データの再構成の方法について、具体的に説明する。図１２には、データ処理が行われる画素配列を模式的に示す。図１２に示す画素配列では、赤色の画素５０をＲｎ（ここで、ｎは１〜１６までの整数）、緑色の画素５０をＧｎ（ここで、ｎは１〜１６までの整数）、青色の画素５０をＢｎ（ここで、ｎは１〜１６までの整数）とし、左上の絵素に含まれるＲＧＢ各画素を１として順に番号を付している。
【０１２４】
ここで、図１２に示す画素配列中の破線で囲んだ部分を上記の一領域Ｄ１とし、この領域に対して画像データの再構成を行う方法について説明する。
【０１２５】
ＲＧＢ再構成部６２では、上記の一領域Ｄ１について画像データの再構成処理を行う場合には、ラインバッファ部１１から入力された各画素の画像データのうち、一点鎖線で囲んだ部分の領域Ｄ２内の各画素のデータ（階調値）を参照する。
【０１２６】
ＲＧＢ再構成部６２において画像データの再構成を行うにあたって、まず、ＲＧＢ階調−輝度変換部６１が、領域Ｄ１内に含まれる各画素５０の輝度値を算出する。ここで各画素の輝度を算出する場合、階調値が同じ値であっても、ＲＧＢの色ごとに出力輝度値は異なるため、ＲＧＢごとに階調値から輝度値に変換するという処理を行う。
【０１２７】
具体的には、ＲＧＢ各色の画素の輝度値をそれぞれ、ＲＴｐ、ＧＴｐ、ＢＴｐとすると、図１２の領域Ｄ１に関しては、上記輝度値を以下のような式で求めることができる。なお、以下の式において、Ｌｒ（ｘ）、Ｌｇ（ｘ）、Ｌｂ（ｘ）とは、階調値ｘからＲＧＢそれぞれ色における輝度値への変換関数を意味する。また、Ｒｐ，Ｇｐ，Ｂｐ（ｐは１以上の整数）は、該当する画素の階調値を意味する。
【０１２８】
ＲＴｐ＝Ｌｒ（Ｒｐ）                        式（Ｅ）
（ここで、ｐは、それぞれ２，３，６，７の何れか）
ＧＴｐ＝Ｌｇ（Ｇｐ）                        式（Ｆ）
（ここで、ｐは、それぞれ２，３，６，７の何れか）
ＢＴｐ＝Ｌｂ（Ｂｐ）                        式（Ｇ）
（ここで、ｐは、それぞれ２，３，６，７の何れか）
ここで、上記Ｌｒ（ｘ）、Ｌｇ（ｘ）、Ｌｂ（ｘ）は、階調値が同じであってもその輝度値は色ごとに異なるため、それぞれ異なる関数となる。
【０１２９】
例えば、デジタルテレビ放送（ＨＤＴＶ）信号の場合、輝度Ｙに対するＲＧＢそれぞれの寄与率は、以下の式（Ｈ）で表される。
【０１３０】
Ｙ＝０．２１３Ｒ＋０．７１５Ｇ＋０．０７２Ｂ            式（Ｈ）
そこで、上記の式（Ｈ）に基づいて、例えば、γ＝２．２に調整されたディスプレイにおいてそれぞれの関数を決定すると以下のようになる。
【０１３１】
Ｌｒ（ｘ）＝（Ｌ＿ｍａｘ−Ｌ＿０）×０．２１３×（ｘ／ｘ＿ｍａｘ）２．２
Ｌｇ（ｘ）＝（Ｌ＿ｍａｘ−Ｌ＿０）×０．７１５×（ｘ／ｘ＿ｍａｘ）２．２
Ｌｂ（ｘ）＝（Ｌ＿ｍａｘ−Ｌ＿０）×０．０７２×（ｘ／ｘ＿ｍａｘ）２．２
ここで、Ｌ＿ｍａｘ、Ｌ＿０、および、ｘ＿ｍａｘは、それぞれ最高輝度（白輝度）、最低輝度（黒輝度）、最高階調（例えば、８ビットの場合２５５階調）となる。但し、ｘおよびｘ＿ｍａｘは、送られてくる信号がＴＶ信号の場合、そのＹ信号値（階調データ値）として、規格上１６〜２３５階調（８ビット時）しか使用していない（すなわち、１６階調が黒、２３５階調が白）。そのため、この場合は、送信されたＹ信号値を、液晶表示装置の対応する階調値ｘに変換する必要がある。
【０１３２】
なお、ＲＧＢごとに階調値から輝度値を求める別の方法としては、あらかじめディスプレイの出力特性をＲＧＢ別に測定し、その輝度値から最低輝度値（Ｌ＿０）を引いた値をそれぞれの関数Ｌｒ（ｘ）、Ｌｇ（ｘ）、Ｌｂ（ｘ）の出力値としてメモリに保存し、ＬＵＴを作成するという方法も挙げられる。
【０１３３】
すなわち、ＲＧＢそれぞれの色ごとに、各階調値に対する輝度値を予め測定しておき、ＲＧＢ各色ごとに、階調値とその階調値において得られる輝度値とを対応付けたルックアップテーブル（ＬＵＴ）を作成するという方法である。この場合には、装置内のメモリに格納されたＲＧＢそれぞれのＬＵＴを参照することで、階調値から輝度値を求めることができる。
【０１３４】
以上のようにして、ＲＧＢ階調−輝度変換部６１で得られた輝度値ＲＴｐ、ＧＴｐ、ＢＴｐは、階調値Ｒｐ，Ｇｐ，ＢｐとともにＲＧＢ再構成部６２へ入力される。
【０１３５】
ＲＧＢ再構成部６２では、入力された領域Ｄ１内の輝度値ＲＴｐ、ＧＴｐ、ＢＴｐのうち、最も輝度の高い画素を選出する。そして、選出した最も輝度の高い画素の位置は、そのまま固定し、当該画素を上記自画素とする。
【０１３６】
次に、領域Ｄ２内の各画素の階調値Ｒｐ，Ｇｐ，Ｂｐを参照しながら、上記自画素とそれに隣接する画素（画素電圧引き込みを発生させる原因となる画素）との間でデータ（階調値）の差を比較し、その階調値の差が０か、あるいは、最も小さくなるように、領域Ｄ１内の画素についてＲＧＢごとにそれぞれ再構成（再配置）し、データバッファ部１３へ出力する。
【０１３７】
（データ処理の具体例１）
続いて、上述したデータ処理方法を、具体的な画素配列に適用した場合の例について説明する。なお、これは一例であり、本発明はこれに限定はされない。
【０１３８】
図１３には、図１２に示す画素配列における階調値の一例を示す。ここでは、図１３に示すような各階調値を有する入力画像データの領域Ｄ１に対して、上記のデータ処理を行う。
【０１３９】
なお、図１３で示すような各階調値の配列は、「青９６階調−黄９６階調」と表現することもできる。これは、Ｄ１で囲われている領域内の４つの絵素を見た場合、左側の絵素列は青色の表示となり、右側の絵素列は黄色（赤＋緑）の表示となるためである。
【０１４０】
ＲＧＢ階調−輝度変換部６１で得られた輝度値を参照した結果、図１３の領域Ｄ１内において最も輝度が高くなるのは、Ｇの９６階調の画素（すなわち、Ｇ３およびＧ７）である。
【０１４１】
つまり、Ｇ３およびＧ７が上記自画素となるため、その右隣の画素Ｂ３およびＢ７が、上記の自画素に隣接する画素となる。そこで、ＲＧＢ再構成部６２では、画素Ｇ３と画素Ｂ３との階調値の差、および、画素Ｇ７と画素Ｂ７との階調値の差が最も小さくなるように、各画素の配置の再構成を行う。
【０１４２】
具体的には、領域Ｄ１内に含まれるＢの全画素（Ｂ２，Ｂ３，Ｂ６，Ｂ７）のうちから、差分ａｂｓ（Ｇ３−Ｂｐ）およびａｂｓ（Ｇ７−Ｂｐ）（ここで、ｐは２，３，６，７の何れか）が最も小さくなるＢｐ（ここでは、Ｂ２およびＢ６）を選び出し、選び出されたＢｐ（Ｂ２およびＢ６）とＢ３およびＢ７とを入れ替えるという処理を行う。
【０１４３】
図１４の（ａ）には、入れ替えを行った後の各画素の配列を示す。また、図１４の（ｂ）には、画素配置の再構成が行われた後の各画素の階調値を示す。
【０１４４】
図１４の（ａ）に示すように、入力画像データからＢ２とＢ３とが入れ替わり、Ｂ６とＢ７とが入れ替わっている。ＲＧＢ再構成部１２では、選出されたこの組合せに基づいて、入力画像データ（ＤａｔａＡ）の各画素の階調値を入れ替える。これにより、出力画像データ（ＤａｔａＢ）の各画素の階調値は、図１４の（ｂ）に示すようになる。
【０１４５】
（実施例）
以下に、本実施の形態を実際のＴＦＴ液晶パネルに適用した場合の実施例について説明する。
【０１４６】
例えば、あるＴＦＴ液晶パネルにおいて、白べた表示（ＲＧＢ全画素が最大階調である９６階調のときの表示）を行った場合、その表示輝度は２７．２ｃｄ／ｍ２となる。そのため、図１３に示すような階調パターンの場合には、ソースラインによる画素電圧引き込みがなければ、上記の２７．２ｃｄ／ｍ２の半分の１３．６ｃｄ／ｍ２となるのが理想である。
【０１４７】
しかしながら、上記の処理を行わない場合（すなわち、図１３に示すような再構成前の画像データの場合）には、その表示輝度は１１．７ｃｄ／ｍ２となり、理想値より大きく低下してしまう。
【０１４８】
これに対して、上記の処理を表示領域の全画素に対して行った場合、再構成後の画像データによる表示輝度は１３．３ｃｄ／ｍ２となり、理想値により近い値となる。
【０１４９】
このように、上記の処理を行うことによって、若干の輝度変化は発生するが、再構成前の画像データと比較して輝度の変化量を小さく抑えることができることがわかる。また、この処理により、通常の映像の場合において、輝度の空間解像度が損なわれることもない。これは、本実施例の場合、絵素の輝度中心（輝度に最も寄与する画素）は、Ｇの画素であり、Ｂの画素はＧに対して１／１０程度の寄与しかない。そのため、Ｂの画素同士の階調値が入れ替わって再構成されたとしても、輝度表示としての空間解像度への影響はほとんどないと推定されるからである。
【０１５０】
以上のように、本実施の形態の液晶表示装置６０は、最も輝度の高い画素電極については、その階調値を変更せず、上記最も輝度の高い画素電極の階調値と、該画素電極を間に挟む隣接する２本のソースラインのうちの上記最も輝度の高い画素電極と（スイッチング素子を介して）接続されていないソースラインと接続された画素電極の階調値との差分が、再構成前の差分と比較して小さくなるように、階調値の再構成を行っている。
【０１５１】
上記の構成によれば、最も輝度の高い画素を自画素とし、該自画素と隣接画素との間の階調値の差を小さくするという単純な方法で、クロストークの発生し得る画像データにおいて、クロストークの発生しない場合の画像データに対する輝度変化を小さくすることができる。したがって、高精細または高解像度のＴＦＴ液晶パネルにおいて、輝度の変化量を減少させクロストークを抑えることができる。
【０１５２】
〔実施の形態３〕
本発明の第３の実施形態について、図１１、および、図１５〜図１７に基づいて説明すると以下の通りである。なお、本発明はこれに限定されるものではない。
【０１５３】
上述した実施の形態１では、色度変化（カラークロストーク）の改善を図ることを目的とし、上述した実施の形態１では、輝度変化（カラークロストーク）の改善を図ることを目的としていた。これに対して、本実施の形態では、色度および輝度の両方の変化を小さくすることを目的として構成された表示装置について説明する。本実施の形態では、その一例として、スイッチング素子としてＴＦＴを有し、ドット反転駆動を行うアクティブマトリクス型のカラー液晶表示装置を挙げて説明する。
【０１５４】
（液晶表示装置の概略構成）
図１１には、本実施の形態にかかる液晶表示装置の構成を示す。図１１に示すように、液晶表示装置７０は、ラインバッファ部１１、ＲＧＢ階調−輝度変換部６１、ＲＧＢ再構成部７２、データバッファ部１３、タイミング制御部１４、および、ＴＦＴ液晶パネル（表示部）１５を主な構成として備えている。
【０１５５】
上記の各構成のうち、ＲＧＢ再構成部７２以外の構成については、実施の形態２で説明した液晶表示装置６０の構成と同じであるため、ここではその説明を省略する。
【０１５６】
ＲＧＢ再構成部７２は、ＲＧＢ階調−輝度変換部６１から送信された画素５０の輝度値のデータおよび絵素５１の輝度値のデータ、さらに、ラインバッファ部１１から送信された入力画像データ（階調値）を考慮した上で、実施の形態１と同様に、画素配列の再構成を行う。すなわち、自画素とそれに隣接する画素との間でデータ（階調値）の差を比較し、各色間でその差が再構成前におけるその差と比較して小さくなるように、ＲＧＢ各色の画素についてそれぞれ再構成を行う。なお、ここで自画素に隣接する画素とは、自画素において上述した画素電圧引き込みを発生させる原因となるソースラインにＴＦＴを介して接続されている画素のことをいう。
【０１５７】
本実施の形態の液晶表示装置７０では、ＲＧＢ再構成部７２において、自画素とそれに隣接する画素との間でデータ（階調値）の差を比較し、各色間でその差が再構成前におけるその差と比較して小さくなり、さらに、再構成前の絵素の輝度と、再構成後の絵素の輝度とが変化せず、かつ、領域Ｄ１内における各絵素全体で得られる色度が再構成の前後で変化しないように、階調値の再構成を行うという処理が行われる。そして、この処理により輝度変化および色度変化を抑えている。
【０１５８】
（ＲＧＢ構成部７２で行われるデータ処理について）
以下には、ＲＧＢ階調−輝度変換部６１およびＲＧＢ再構成部７２において行われるデータ処理の具体例について説明する。
【０１５９】
このデータ処理では、画像表示領域に含まれる全絵素を、縦２絵素×横２絵素（縦６画素×横２画素）の合計４絵素（１２画素）ごとに分割し、分割された各領域を一つの領域として選択する。ＲＧＢ再構成部７２では、この各領域内に含まれる画素について再構成を行う。なお、上述の実施の形態１および２では、画素の階調値自体を変えるのではなく、表示させる画素を４つの絵素内で再配置することにより再構成を行っていたが、本実施の形態では、４つの絵素の出力輝度は変えることなく、４絵素内のＲＧＢ画素の輝度の割り振り（分配）を変更することにより再構成を行う。
【０１６０】
ここで、画像データの再構成の方法について、具体的に説明する。図１５には、データ処理が行われる画素配列を模式的に示す。図１５に示す画素配列では、赤色の画素５０をＲｎ（ここで、ｎは１〜１６までの整数）、緑色の画素５０をＧｎ（ここで、ｎは１〜１６までの整数）、青色の画素５０をＢｎ（ここで、ｎは１〜１６までの整数）とし、左上の絵素に含まれるＲＧＢ各画素を１として順に番号を付している。
【０１６１】
ここで、図１５に示す画素配列中の破線で囲んだ部分を上記の一領域Ｄ１とし、この領域に対して画像データの再構成を行う方法について説明する。
【０１６２】
ＲＧＢ再構成部７２では、上記の一領域Ｄ１について画像データの再構成処理を行う場合には、ラインバッファ部１１から入力された各画素の画像データのうち、一点鎖線で囲んだ部分の領域Ｄ２内の各画素のデータ（階調値）を参照する。
【０１６３】
ＲＧＢ再構成部７２において画像データの再構成を行うにあたって、まず、ＲＧＢ階調−輝度変換部６１が、領域Ｄ２内に含まれる各画素５０の輝度値を算出する。ここで各画素の輝度を算出する場合、階調値が同じ値であっても、ＲＧＢの色ごとに出力輝度値は異なるため、ＲＧＢごとに階調値から輝度値に変換するという処理を行う。ここでのＲＧＢ階調値から輝度値への変換方法については、実施の形態２と同様の方法を適用できる。
【０１６４】
具体的には、ＲＧＢ各色の画素の輝度値をそれぞれ、ＲＴｐ、ＧＴｐ、ＢＴｐとすると、図１５の領域Ｄ２に関しては、上記輝度値を以下のような式で求めることができる。なお、以下の式において、Ｌｒ（ｘ）、Ｌｇ（ｘ）、Ｌｂ（ｘ）とは、階調値ｘからＲＧＢそれぞれ色における輝度値への変換関数を意味する。また、Ｒｐ，Ｇｐ，Ｂｐ（ｐは１以上の整数）は、該当する画素の階調値を意味する。
【０１６５】
ＲＴｐ＝Ｌｒ（Ｒｐ）                        式（Ｅ）
（ここで、ｐは、それぞれ２，３，６，７，４，８の何れか）
ＧＴｐ＝Ｌｇ（Ｇｐ）                        式（Ｆ）
（ここで、ｐは、それぞれ２，３，６，７の何れか）
ＢＴｐ＝Ｌｂ（Ｂｐ）                        式（Ｇ）
（ここで、ｐは、それぞれ２，３，６，７の何れか）
以上のようにして、ＲＧＢ階調−輝度変換部６１で得られた輝度値ＲＴｐ、ＧＴｐ、ＢＴｐは、階調値Ｒｐ，Ｇｐ，ＢｐとともにＲＧＢ再構成部７２へ入力される。
【０１６６】
ＲＧＢ再構成部７２では、入力された輝度値および階調値のデータに基づいて、各画素の出力輝度の分配を再構成する。具体的には、高解像度を維持しながら、輝度および色度の変化量を小さくするために、領域Ｄ１内の４つの絵素５１（ＲＧＢ各一画素で構成される単位）の輝度が、再構成の前後で変化しないように再構成を行い、かつ、領域Ｄ１内の４つの絵素５１の色度が、再構成の前後で変化しないように再構成を行う。
【０１６７】
なお、絵素５１の輝度は、それ構成する各色の画素５０の輝度の合計で決まる。すなわち、Ｒ２、Ｇ２、およびＢ２で構成される絵素の輝度は、ＲＴ２＋ＧＴ２＋ＢＴ２で得られる。
【０１６８】
ここで、再構成後の輝度値をそれぞれＲＴｐ’、ＧＴｐ’、ＢＴｐ’とすると、領域Ｄ１内の４つの絵素５１の輝度が、再構成の前後で変化しないような条件は、以下の式で表される。
【０１６９】
ＲＴ２＋ＧＴ２＋ＢＴ２＝ＲＴ２’＋ＧＴ２’＋ＢＴ２’  式（Ｈ−１）
ＲＴ３＋ＧＴ３＋ＢＴ３＝ＲＴ３’＋ＧＴ３’＋ＢＴ３’  式（Ｈ−２）
ＲＴ６＋ＧＴ６＋ＢＴ６＝ＲＴ６’＋ＧＴ６’＋ＢＴ６’  式（Ｈ−３）
ＲＴ７＋ＧＴ７＋ＢＴ７＝ＲＴ７’＋ＧＴ７’＋ＢＴ７’  式（Ｈ−４）
また、領域Ｄ１内の４つの絵素５１の色度が、再構成の前後で変化しないような条件は、以下の式で表される。
【０１７０】
ＲＴ２＋ＲＴ３＋ＲＴ６＋ＲＴ７：ＧＴ２＋ＧＴ３＋ＧＴ６＋ＧＴ７：ＢＴ２＋ＢＴ３＋ＢＴ６＋ＢＴ７＝ＲＴ２’＋ＲＴ３’＋ＲＴ６’＋ＲＴ７’：ＧＴ２’＋ＧＴ３’＋ＧＴ６’＋ＧＴ７’：ＢＴ２’＋ＢＴ３’＋ＢＴ６’＋ＢＴ７’        式（Ｉ）
ここで、再構成前の階調値をそれぞれＲｐ、Ｇｐ、Ｂｐとしたときに、以下の式（Ｊ）によって表される自画素とそれに隣接する画素との階調値の差を算出する。そして、上記の条件式（Ｈ−１）〜（Ｈ−４）および（Ｉ）を満たしつつ、さらに、再構成後の階調値をそれぞれＲｐ’、Ｇｐ’、Ｂｐ’としたときに、以下の式（Ｋ）で得られる自画素とそれに隣接する画素との階調値の差の積算値δＤ’が最小となるような、画素配列の再構成を求める。
【０１７１】
δＤ＝|Ｒ２−Ｇ２|＋|Ｇ２−Ｂ２|＋|Ｂ２−Ｒ３|＋|Ｒ３−Ｇ３|＋|Ｇ３−Ｂ３|＋|Ｂ３−Ｒ４|＋|Ｒ６−Ｇ６|＋|Ｇ６−Ｂ６|＋|Ｂ６−Ｒ７|＋|Ｒ７−Ｇ７|＋|Ｇ７−Ｂ７|＋|Ｂ７−Ｒ８|            式（Ｊ）
δＤ’＝|Ｒ２’−Ｇ２’|＋|Ｇ２’−Ｂ２’|＋|Ｂ２’−Ｒ３’|＋
|Ｒ３’−Ｇ３’|＋|Ｇ３’−Ｂ３’|＋|Ｂ３’−Ｒ４’|＋
|Ｒ６’−Ｇ６’|＋|Ｇ６’−Ｂ６’|＋|Ｂ６’−Ｒ７’|＋
|Ｒ７’−Ｇ７’|＋|Ｇ７’−Ｂ７’|＋|Ｂ７’−Ｒ８’|      式（Ｋ）
但し、後述の具体例に示すように、領域Ｄ１内の４つの絵素において、再構成前の輝度値の差が隣接絵素間で１００ｃｄ／ｍ２以下の場合には、上記の条件式（Ｈ−１）〜（Ｈ−４）については必ずしも満たす必要はなく、上記の式（Ｉ）を満たし、かつ、上記の積算値δＤ’が最小となるように、ＲＧＢ各画素の階調値の分配を再構成すればよい。
【０１７２】
また、以上の各条件式から、最適な画素の再構成を決定する方法については、種々の方法があり、本発明ではどのような演算方法を用いてもよい。
【０１７３】
例えば、コンピュータのような繰り返しの演算処理を行うことにより、算出する方法が多く存在する。最も一般的な方法としては、最小二乗法を使った方法がある。
【０１７４】
この方法では、上記の式（Ｋ）においてδＤ’が最小となる場合、
δＤ’＝（Ｒ２’−Ｇ２’）２＋（Ｇ２’−Ｂ２’）２＋（Ｂ２’−Ｒ３’）２＋（Ｒ３’−Ｇ３’）２＋（Ｇ３’−Ｂ３’）２＋（Ｂ３’−Ｒ４’）２＋（Ｒ６’−Ｇ６’）２＋（Ｇ６’−Ｂ６’）２＋（Ｂ６’−Ｒ７’）２＋（Ｒ７’−Ｇ７’）２＋（Ｇ７’−Ｂ７’）２＋（Ｂ７’−Ｒ８’）２  式（Ｌ）
のような２乗式のδＤ’も最小になることを利用する。
【０１７５】
そして、上記の２乗式を展開するとそれぞれの２乗の式になる。ここで、各値での変微分を取ると、これが０となる場合が最も値が低くなる場合となる。
δＤ’/δＲ２’＝０
δＤ’/δＧ２’＝０
δＤ’/δＢ２’＝０
・・・                              式（Ｍ）
δＤ’/δＲ７’＝０
δＤ’/δＧ７’＝０
δＤ’/δＢ７’＝０
したがって、上記の式（Ｌ）、式（Ｍ）の連立方程式を解けば、それぞれの値（Ｒｐ’、Ｇｐ’、Ｂｐ’）が求められる。
【０１７６】
（データ処理の具体例１）
続いて、上述したデータ処理方法を、具体的な画素配列に適用した場合の例について説明する。なお、これは一例であり、本発明はこれに限定はされない。
【０１７７】
図１６には、図１５に示す画素配列における階調値の一例を示す。ここでは、図１６に示すような各階調値を有する入力画像データの領域Ｄ１に対して、上記のデータ処理を行う。なお、図１６で示すような各階調値の配列は、「青９６階調−黄９６階調」と表現することもできる。
【０１７８】
図１６のような階調値の場合、あるＴＦＴ液晶パネルにおいて得られる領域Ｄ１内の４つの絵素の輝度値は、例えば、以下のようになる。ここで、上記４つの絵素のうち、左上の絵素の輝度値をＵＬ、右上の絵素の輝度値をＵＲ、左下の絵素の輝度値をＤＬ、左下の絵素の輝度値をＤＲとする。
【０１７９】
ＵＬ＝ＲＴ２＋ＧＴ２＋ＢＴ２＝Lr（0）＋Lg（0）＋Lb（96）＝４．３
ＵＲ＝ＲＴ３＋ＧＴ３＋ＢＴ３＝Lr（96）＋Lg（96）＋Lb（0）＝２３．０
ＤＬ＝ＲＴ６＋ＧＴ６＋ＢＴ６＝Lr（0）＋Lg（0）＋Lb（96）＝４．３
ＵＲ＝ＲＴ７＋ＧＴ７＋ＢＴ７＝Lr（96）＋Lg（96）＋Lb（0）＝２３．０
また、４絵素全てを含むＲＧＢ各色の輝度ＲＴ，ＧＴ，ＢＴの比は、以下のようにして求められる。
【０１８０】
RT2＋RT3＋RT6＋RT7＝Lr（0）＋Lr（96）＋Lr（0）＋Lr（96）＝１２．８
GT2＋GT3＋GT6＋GT7＝Lg（0）＋Lg（96）＋Lg（0）＋Lg（96）＝３３．２
BT2＋BT3＋BT6＋BT7＝Lb（96）＋Lb（0）＋Lb（96）＋Lb（0）＝８．６
RT：GT：BT＝RT2＋RT3＋RT6＋RT7：GT2＋GT3＋GT6＋GT7：BT2＋BT3＋BT6＋BT7＝１２．８：３３．２：８．６
上記のようにして得られた４つの絵素の輝度値ＵＬ、ＵＲ、ＤＬ、ＤＲを平均し、さらに、ＲＧＢ各画素の階調値の分配を再構成すると、再構成後の４絵素内のＲＧＢ各画素の階調値Ｒｐ’，Ｇｐ’，Ｂｐ’（ここで、ｐは２，３，６、及び７）は、以下のようになる。
【０１８１】
Ｒｐ’＝７０
Ｂｐ’＝６９
Ｂｐ’＝６９
また、ＲＧＢの各画素がそれぞれ上記のような階調値である場合の各画素の輝度値ＲＴｐ’、ＧＴｐ’、ＢＴｐ’（ここで、ｐは２，３，６、及び７）は、以下のようになる。
【０１８２】
ＲＴｐ’＝Ｌｒ（７０）＝３．２
ＧＴｐ’＝Ｌｇ（６９）＝８．３
ＢＴｐ’＝Ｌｂ（６９）＝２．２
また、このときの自画素とそれに隣接する画素との階調値の差の積算値δＤ’は、以下のようになる。
【０１８３】
δＤ’＝４
この値は、種々の組合せの中で最小の値である。
【０１８４】
図１７には、画素配置の再構成が行われた後の各画素の階調値を示す。
【０１８５】
領域Ｄ１内の各画素が、図１７に示すような階調値になるように再構成が行われた場合、上記の条件式（Ｈ−１）〜（Ｈ−４）は満たしていない。しかし、上記の例の場合、領域Ｄ１内の隣接絵素間の輝度の差が１００ｃｄ／ｍ２以下（２３．０−４．３＜１００）となる。ここで、絵素ピッチ０．３ｍｍ程度、視認距離９０ｃｍ程度の高精細な表示パネルの場合、隣接絵素間の輝度の差が１００ｃｄ／ｍ２以下であれば、その輝度差を認識しにくい。つまり、１００ｃｄ／ｍ２の輝度のグレー線と輝度０の黒線が１絵素毎にあるような表示では線とは認識されず、５０ｃｄ／ｍ２のグレーの表示として認識される。
【０１８６】
そのため、上記のように、領域Ｄ１内の４つの絵素の輝度値ＵＬ、ＵＲ、ＤＬ、ＤＲを平均し、さらに、この４つの絵素においてＲＧＢ各画素の階調値の分配を再構成することにより、δＤ’が最小となるような階調値の組合せを得ることができ、カラークロストークを抑えることができる。
【０１８７】
なお、もし隣接絵素間の輝度の差が１００ｃｄ／ｍ２よりも大きいのであれば、以下のような処理がさらに行われる。
【０１８８】
例えば、上記の再構成後、左上の絵素の輝度値ＵＬ’は、
ＵＬ’＝ＲＴ２’＋ＧＴ２’＋ＢＴ２’＝Lr（79）＋Lg（69）＋Lb（69）＝１２．７
である。ここで、条件式（Ｈ−１）を満たすために、上記ＵＬ’＝１２．７を４．３にする。すなわち、８．４ｃｄ／ｍ２だけ隣接絵素へ輝度を分配移動する。つまり、ＵＬ’において、８．４ｃｄ／ｍ２だけ輝度が低下するように、８．４ｃｄ／ｍ２に相当する階調値を算出し、得られた階調値分だけ、階調値を下げる処理を行う。このとき、絵素全体、すなわちＲＧＢとも同じ階調分だけ変化させて分配させると、上記δＤ’を小さく抑えることができる。したがって、ＵＬ’を構成するＲＧＢ各画素を同じ階調値だけ低くして、絵素全体で８．４ｃｄ／ｍ２だけ輝度が低下するような階調値を見つけ出す処理を行う。
【０１８９】
また、ＵＲ’の場合は、条件式（Ｈ−２）を満たすために、上記ＵＬ’＝１２．７を２３．０にする。すなわち、１０．３ｃｄ／ｍ２分の輝度を隣接絵素から分配して上乗せする。
【０１９０】
以上をまとめると、ＲＧＢ再構成部７２では以下のようなアルゴリズムで演算処理が行われる。
【０１９１】
まず、隣接画素間で階調データの差を小さくするために、４つの絵素の輝度値を平均化する。これにより、隣接画素間における階調データの差は最も小さくなる。その後、隣接絵素間の輝度の差が１００ｃｄ／ｍ２よりも大きい場合は、各絵素内のＲＧＢ画素が同じ階調値だけ変化するように、輝度値を再分配すれば、隣接画素間での階調データの差を最も少なくすることができる。
【０１９２】
以上のような演算処理を行うと、各画素の輝度は、
ＲＴ２’＝Ｌｒ（５１）＝１．２４
ＧＴ２’＝Ｌｇ（５１）＝３．２１
ＢＴ２’＝Ｌｂ（５１）＝０．８５
ＲＴ３’＝Ｌｒ（７９）＝５．１６
ＧＴ３’＝Ｌｇ（７８）＝１３．３９
ＢＴ３’＝Ｌｂ（７８）＝３．５５
ＲＴ６’＝Ｌｒ（５１）＝１．２４
ＧＴ６’＝Ｌｇ（５１）＝３．２１
ＢＴ６’＝Ｌｂ（５１）＝０．８５
ＲＴ７’＝Ｌｒ（７９）＝５．１６
ＧＴ７’＝Ｌｇ（７８）＝１３．３９
ＢＴ７’＝Ｌｂ（７８）＝３．５５
のように分配される。
【０１９３】
このとき、最終的なδＤ’は、δＤ’＝５６となり、分配前のδＤ＝１９２よりも小さな値となる。
【０１９４】
なお、上記のような演算処理を行う方法以外に、上記の式（Ｌ）、式（Ｍ）の連立方程式を解くという演算処理を行うことによって、階調値の再構成を行うこともできる。
【０１９５】
以上のように、人間の視感度の特性から、４絵素の輝度値を平均化すると、問題なく色度の変化は最小になる。しかしながら、人間の輝度差の視感度は色度よりも高い。そこで、絵素ピッチ０．３ｍｍ、視認距離９０ｃｍを想定した場合、上記の輝度に相当する値で４絵素内の隣接絵素間の差が１００ｃｄ／ｍ２以上であれば、その輝度差を識別できるため、さらに分配をする必要がある。上記の例の場合は、上記の輝度差が１００ｃｄ／ｍ２未満であるため問題ないが、もしその差が１００ｃｄ／ｍ２以上であれば、さらに再構成していく。このとき、Ｇの階調データに対する輝度への寄与が、Ｒ、Ｂに比べて高いことを利用して再構成していくとよい。
【０１９６】
（実施例）
以下に、本実施の形態を実際のＴＦＴ液晶パネルに適用した場合の実施例について説明する。
【０１９７】
例えば、あるＴＦＴ液晶パネルにおいて、白べた表示（ＲＧＢ全画素が最大階調である９６階調のときの表示）を行った場合、その表示輝度は２７．２ｃｄ／ｍ２となる。そのため、図１６に示すような階調パターンの場合には、ソースラインによる画素電圧引き込みがなければ、上記の２７．２ｃｄ／ｍ２の半分の１３．６ｃｄ／ｍ２となるのが理想である。
【０１９８】
しかしながら、上記の処理を行わない場合（すなわち、図１６に示すような再構成前の画像データの場合）には、その表示輝度は１１．７ｃｄ／ｍ２となり、理想値より大きく低下してしまう。
【０１９９】
これに対して、上記の処理を表示領域の全画素に対して行った場合、再構成後の画像データによる表示輝度は１３．７ｃｄ／ｍ２となり、理想値により近い値となる。
【０２００】
このように、上記の処理を行うことによって、若干の輝度変化は発生するが、再構成前の画像データと比較して輝度の変化量を小さく抑えることができることがわかる。すなわち、ソースラインの画素電圧引込みによる輝度の変化量が十分に抑えられている結果となることがわかる。
【０２０１】
また、色度に関しても、白べた表示では、ｘ＝０．２８８、ｙ＝０．２９４であり、再構成前では、ｘ＝０．２６２、ｙ＝０．２１１であるのに対し、再構成後では、ｘ＝０．２８２、ｙ＝０．２９６となり、色シフトも抑えられていることがわかる。
【０２０２】
以上のように、実施の形態１が色度の変化量を小さくしてカラークロストークを改善し、実施の形態２が輝度の変化量を小さくしてクロストークを改善するのに対して、本実施の形態は、色度および輝度の両方の変化量を小さくして、カラークロストークおよびクロストークを改善するというものである。
【０２０３】
さらに、実施の形態１および２では、４つの絵素５１からなる領域Ｄ１内のＲＧＢ各画素においてデータ（階調値）の配置を再構成しているのに対して、本実施の形態では、領域Ｄ１内の４つの絵素５１で出力輝度の分配を再構成している。
【０２０４】
すなわち、領域Ｄ１内の４絵素の出力輝度を変えることなく、各絵素内のＲＧＢ画素の輝度値を変えて、カラークロストークの原因となる画素電圧の引き込み（ソースラインとの容量結合による引き込み）が最小限になるようにしている。
【０２０５】
本発明は上述した各実施形態に限定されるものではなく、請求項に示した範囲で種々の変更が可能である。すなわち、請求項に示した範囲で適宜変更した技術的手段、あるいは、他の実施の形態において説明した技術的手段を組み合わせて得られる実施形態についても本発明の技術的範囲に含まれる。
【０２０６】
本発明にかかる表示装置は、上記の課題を解決するために、複数のゲートラインと、該ゲートラインに交差するように配置された複数のソースラインと、隣接する２本のソースラインおよび隣接する２本のゲートラインの間に設けられ、画像を構成する複数色のうちの何れかの色を有する画素電極と、上記ゲートラインと上記ソースラインとの交差部近傍に設けられ、上記ゲートラインの一つおよび上記ソースラインの一つと接続されているスイッチング素子とを備えたアクティブマトリクス基板を有し、上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置であって、該表示装置の表示領域を、複数の画素電極を含む領域に分割し、該領域内に含まれる同色の画素電極間において、上記階調値の再構成を行うための再構成部を有しており、上記再構成部は、上記隣接する２本のソースラインの間に配置され、該２本のソースラインのうちの一方に接続された画素電極の階調値と、上記２本のソースラインのうちの他方に接続された画素電極の階調値との差分を算出し、上記差分が再構成前の差分と比較して小さくなるように、上記階調値の再構成を行うことを特徴とする。
【０２０７】
また、本発明にかかる表示装置の駆動方法は、上記の課題を解決するために、複数のゲートラインと、該ゲートラインに交差するように配置された複数のソースラインと、隣接する２本のソースラインおよび隣接する２本のゲートラインの間に設けられ、画像を構成する複数色のうちの何れかの色を有する画素電極と、上記ゲートラインと上記ソースラインとの交差部近傍に設けられ、上記ゲートラインの一つおよび上記ソースラインの一つと接続されているスイッチング素子とを備えたアクティブマトリクス基板を有し、上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置の駆動方法であって、該表示装置の表示領域を、複数の画素電極を含む領域に分割し、上記領域内に含まれる同色の画素電極間において、上記隣接する２本のソースラインの間に配置され、該２本のソースラインのうちの一方に接続された画素電極の階調値と、上記２本のソースラインのうちの他方に接続された画素電極の階調値との差分を算出し、上記差分が再構成前の差分と比較して小さくなるように、上記階調値の再構成を行うことを特徴とする。
【０２０８】
ここで、「該領域内に含まれる同色の画素電極間において、上記階調値の再構成を行う」とは、領域内に含まれる同色の画素電極同士で、互いの階調値を入れ替えること、または、領域内に含まれる同色の画素電極全体で得られる輝度を変更することなく、該同色の画素電極の階調値の配分を、再構成前の階調値から変更することを意味する。
【０２０９】
上記の構成または方法では、隣接する２本のソースラインのうちの一方に接続された画素電極の階調値と、他方に接続された画素電極の階調値との差分を算出し、上記差分が再構成前の差分と比較して小さくなるように階調値の再構成を行っている。これにより、上記一方のソースラインに接続された画素電極において、上記他方のソースラインの電圧との間で発生する寄生容量の影響によって画素電圧が変化してしまう、いわゆる「画素電圧引き込み」の発生を低減させることができる。これにより、クロストークの発生を抑えることができる。
【０２１０】
また、上記の構成または方法では、上述した方法で画素電極の階調値の再構成を行うことによってクロストークの発生を抑えているため、従来の方法と比較して、より単純な演算で処理を行うことができる。
【０２１１】
したがって、上記の構成または方法によれば、複雑な補正計算を行うことなく、クロストークの発生を抑えることができる。
【０２１２】
本発明の表示装置において、上記再構成部は、上記隣接する２本のソースラインのうちの一方に接続された画素電極の階調値と、上記隣接する２本のソースラインのうちの他方に接続された画素電極の階調値との差分を色ごとに算出し、さらに、各色間での上記差分が再構成前の差分と比較して小さくなるように、上記階調値の再構成を行うことが好ましい。
【０２１３】
また、本発明の表示装置の駆動方法において、上記階調値の再構成を行う工程では、上記隣接する２本のソースラインのうちの一方に接続された画素電極の階調値と、上記隣接する２本のソースラインのうちの他方に接続された画素電極の階調値との差分を色ごとに算出し、さらに、各色間での上記差分が再構成前の差分と比較して小さくなるように、上記階調値の再構成を行うことが好ましい。
【０２１４】
上記の構成または方法によれば、一方のソースラインに接続された画素電極の階調値と、他方のソースラインに接続された画素電極の階調値との差分を色ごとに算出し、さらに、各色間での上記差分が再構成前の差分と比較して小さくなるように階調値の再構成を行うことで、各色間での画素電圧引き込みの発生の程度の差を小さくすることができる。これにより、カラークロストークの発生し得る画像データにおいて、カラークロストークの発生しない場合の画像データに対する色度変化を小さくすることができるため、カラークロストークの発生を抑えることができる。
【０２１５】
また、上記の構成または方法によれば、複雑な補正計算を行うことによって得られた補正値データを出力するという方法ではなく、複数の画素を含む領域内において階調値の配分を変えることにより自画素と隣接画素との間の階調値の差を小さくするという単純な方法で、カラークロストークを抑えることができる。なお、本発明のように、複数の画素を含む領域内において階調値の配分を変えるという方法は、高精細、高解像度の表示パネルに適用することが望ましい。
【０２１６】
これは、人間の視覚において、輝度の空間解像度と色度の空間解像度とは、その特性が異なっているからである。つまり、輝度の空間解像度は、色度の空間解像度よりも高い空間周波数領域にあり、厳密に言うと、輝度の感度はバンドパスフィルタ、色度の感度はローパスフィルタになっているからである（図１０参照）。
【０２１７】
なお、ここで高精細パネルとは、その解像度が輝度の視覚特性よりも低く、色度の視覚特性よりも高くなるようなパネルが該当する。本発明では、特にこのような高精細のパネルに対して画素の再構成を行うことにより、人間の視覚において色度空間解像度の低下を感じさせることなく、カラークロストークを改善することができる。
【０２１８】
本発明の表示装置において、上記再構成部は、各色間での上記差分が最も小さくなるように画素電極の階調値の組合せを再構成することが好ましい。
【０２１９】
上記の構成によれば、各色間での画素電圧引き込みの発生の程度の差をより小さくすることができる。これにより、カラークロストークの発生をより確実に抑えることができる。
【０２２０】
本発明の表示装置において、上記画像を構成する複数色は、赤、緑、青の３色であり、上記再構成部は、上記３色のうちの緑の画素電極については、上記階調値の再構成を行わず、各色間での上記差分が再構成前の差分と比較して小さくなるように、赤および青の画素電極について上記階調値の再構成を行うことが好ましい。
【０２２１】
上記の構成によれば、輝度の最も寄与する緑色の画素については、階調値の再構成を行わないため、階調値を再構成することによって発生し得る解像度の低下を抑えることができる。
【０２２２】
本発明の表示装置は、上記画素電極に入力される階調値のデータによって得られる輝度を画素電極の色ごとに見積もる階調輝度変換部をさらに備え、上記再構成部は、上記階調輝度変換部において得られた上記領域内の各画素電極の輝度から、最も輝度の高い画素電極を選び出し、その画素電極の階調値は固定し、上記最も輝度の高い画素電極の階調値と、該画素電極を間に挟む隣接する２本のソースラインのうちの上記他方のソースラインと接続された画素電極の階調値との差分が、再構成前の差分と比較して小さくなるように、上記階調値の再構成を行うことが好ましい。
【０２２３】
また、本発明の表示装置の駆動方法は、上記画素電極に入力される階調値のデータによって得られる輝度を画素電極の色ごとに見積もる階調輝度変換工程をさらに含み、上記階調値の再構成を行う工程では、上記階調輝度変換工程において得られた上記領域内の各画素電極の輝度から、最も輝度の高い画素電極を選び出し、その画素電極の階調値は固定し、上記最も輝度の高い画素電極の階調値と、該画素電極を間に挟む隣接する２本のソースラインのうちの上記他方のソースラインと接続された画素電極の階調値との差分が、再構成前の差分と比較して小さくなるように、上記階調値の再構成を行うことが好ましい。
【０２２４】
上記の構成または方法では、最も輝度の高い画素電極については、その階調値を変更せず、上記最も輝度の高い画素電極の階調値と、該画素電極を間に挟む隣接する２本のソースラインのうちの上記他方のソースライン（すなわち、上記最も輝度の高い画素電極と（スイッチング素子を介して）接続されていないソースライン）と接続された画素電極の階調値との差分が、再構成前の差分と比較して小さくなるように、上記階調値の再構成を行う。
【０２２５】
したがって、上記の構成または方法によれば、最も輝度の高い画素を自画素とし、該自画素と隣接画素との間の階調値の差を小さくするという単純な方法で、クロストークの発生し得る画像データにおいて、クロストークの発生しない場合の画像データに対する輝度変化を小さくすることができるため、クロストークを抑えることができる。
【０２２６】
本発明の表示装置において、上記再構成部は、上記最も輝度の高い画素電極の階調値と上記他方のソースラインと接続された画素電極の階調値との差分が最も小さくなるように、画素電極の階調値の組合せを再構成することが好ましい。
【０２２７】
上記の構成によれば、最も輝度の高い画素電極において、画素電圧引き込みの発生の程度をより小さくすることができる。これにより、クロストークの発生をより確実に抑えることができる。
【０２２８】
本発明の表示装置において、上記階調輝度変換部は、各色の階調値と当該階調値における出力輝度とを対応付けたルックアップテーブルを用いて、輝度を算出することが好ましい。
【０２２９】
上記の構成によれば、ルックアップテーブルを用いて輝度を算出することで、複雑な演算を行うことなく容易に輝度を求めることができる。
【０２３０】
本発明の表示装置において、上記再構成部では、さらに、再構成前の絵素の輝度と、再構成後の絵素の輝度とが変化せず、かつ、上記領域内における各絵素全体で得られる色度が上記再構成の前後で変化しないように、上記階調値の再構成を行うことが好ましい。
【０２３１】
また、本発明の表示装置の駆動方法において、上記階調値の再構成を行う工程では、さらに、再構成前の絵素の輝度と、再構成後の絵素の輝度とが変化せず、かつ、上記領域内における各絵素全体で得られる色度が上記再構成の前後で変化しないように、上記階調値の再構成を行うことが好ましい。
【０２３２】
上記の構成または方法では、領域内の各絵素の出力輝度を変えることなく、各絵素を構成する画素の輝度値を変えて、カラークロストークの原因となる画素電圧の引き込み（ソースラインとの容量結合による引き込み）が小さくなるように、階調値の再構成を行っている。したがって、上記の構成または方法によれば、色度および輝度の両方の変化量を小さくして、カラークロストークおよびクロストークを改善することができる。
【０２３３】
本発明の表示装置において、上記再構成部では、上記領域内における隣接絵素間での輝度値の差が所定値以下の場合には、上記領域内における各絵素の輝度値を平均化し、さらに、上記領域内における各絵素全体で得られる色度が上記再構成の前後で変化しないように各色の画素の階調値を配分することで、上記の階調値の再構成を行い、上記領域内における隣接絵素間での輝度値の差が所定値よりも大きい場合には、上記領域内における各絵素の輝度値を平均化し、さらに、上記領域内における各絵素全体で得られる色度が上記再構成の前後で変化しないように各色の画素の階調値を配分した後に、再構成前の絵素の輝度と、再構成後の絵素の輝度とが変化しないように、１つの絵素内の各色の画素について同じ階調分だけ変化させて、隣接絵素間で輝度を再分配することで、上記階調値の再構成を行うことが好ましい。
【０２３４】
また、本発明の表示装置の駆動方法において、上記階調値の再構成を行う工程では、上記領域内における隣接絵素間での輝度値の差が所定値以下の場合には、上記領域内における各絵素の輝度値を平均化し、さらに、上記領域内における各絵素全体で得られる色度が上記再構成の前後で変化しないように各色の画素の階調値を配分することで、上記の階調値の再構成を行い、上記領域内における隣接絵素間での輝度値の差が所定値よりも大きい場合には、上記領域内における各絵素の輝度値を平均化し、さらに、上記領域内における各絵素全体で得られる色度が上記再構成の前後で変化しないように各色の画素の階調値を配分した後に、再構成前の絵素の輝度と、再構成後の絵素の輝度とが変化しないように、１つの絵素内の各色の画素について同じ階調分だけ変化させて、隣接絵素間で輝度を再分配することで、上記階調値の再構成を行うことが好ましい。
【０２３５】
ここで、「１つの絵素内の各色の画素について同じ階調分だけ変化させて、隣接絵素間で輝度を再分配する」とは、例えば、ＲＧＢの各画素で構成される絵素の場合、Ｒの画素で階調値を１０増加させたときには、ＧＢの画素においても階調値を１０増加させるということを意味する。
【０２３６】
領域内における隣接絵素間での輝度値の差が所定値以下（例えば、１００ｃｄ／ｍ２以下）の場合には、再構成前の絵素の輝度と再構成後の絵素の輝度とが変化しても、人間の視覚的に隣接絵素間の輝度差を認識しにくい。そのため、上記の構成または方法では、領域内における隣接絵素間での輝度値の差が所定値以下の場合には、領域内の各絵素の輝度値を平均化することで、色度の変化を最小化することができる。
【０２３７】
これにより、領域内における隣接絵素間での輝度値の差が所定値以下の場合には、演算を簡略化しつつ、色度の変化を小さくすることができる。一方、領域内における隣接絵素間での輝度値の差が所定値よりも大きい場合には、色度および輝度の両方の変化量を小さくして、カラークロストークおよびクロストークを改善することができる。
【０２３８】
したがって、上記の構成または方法によれば、領域内における隣接絵素間での輝度値の差に応じて、適した処理を行うことができる。
【０２３９】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内において、いろいろと変更して実施することができるものである。
【産業上の利用可能性】
【０２４０】
本発明は、高解像度および高精細の表示装置に適用できる。
【符号の説明】
【０２４１】
１０，６０，７０    液晶表示装置（表示装置）
１１      ラインバッファ部
１２，６２，７２    ＲＧＢ再構成部（再構成部）
１３      データバッファ部
１４      タイミング制御部
１５      ＴＦＴ液晶パネル
２１      ＴＦＴ基板
２２      対向基板
２３      液晶層
３１      ソースライン
３２      ゲートライン
３３      ＴＦＴ素子
３４      画素電極
３６      対向電極
５０      画素
５１      絵素
【図１】
2011083606.tif 000003
【図２】
2011083606.tif 000004
【図３】
2011083606.tif 000005
【図４】
2011083606.tif 000006
【図５】
2011083606.tif 000007
【図６】
2011083606.tif 000008
【図７】
2011083606.tif 000009
【図８】
2011083606.tif 000010
【図９】
2011083606.tif 000011
【図１０】
2011083606.tif 000012
【図１１】
2011083606.tif 000013
【図１２】
2011083606.tif 000014
【図１３】
2011083606.tif 000015
【図１４】
2011083606.tif 000016
【図１５】
2011083606.tif 000017
【図１６】
2011083606.tif 000018
【図１７】
2011083606.tif 000019
【図１８】
2011083606.tif 000020
【図１９】
2011083606.tif 000021
【図２０】
2011083606.tif 000022
【図２１】
2011083606.tif 000023
【図２２】
2011083606.tif 000024
【図２３】
2011083606.tif 000025
【図２４】
2011083606.tif 000026
【図２５】
2011083606.tif 000027
【図２６】
2011083606.tif 000028
【図２７】
2011083606.tif 000029
【手続補正書】
【提出日】平成24年7月5日(2012.7.5)
【手続補正１】
【補正対象書類名】明細書
【補正対象項目名】００５１
【補正方法】変更
【補正の内容】
【００５１】
このデータ処理では、画像表示領域に含まれる全絵素を、縦２絵素×横２絵素（縦２画素×横６画素）の合計４絵素（１２画素）ごとに分割し、分割された各領域を一つの領域として選択する。ＲＧＢ再構成部１２では、この各領域内に含まれる画素について再構成（最配置）を行う。図１には、ある一領域に含まれる１２画素分の画像データで構成される入力データの一例をＤａｔａＡとして示す。
【手続補正２】
【補正対象書類名】明細書
【補正対象項目名】００５８
【補正方法】変更
【補正の内容】
【００５８】
Ｓ＝ａｂｓ（ＳＲ＿ｍ−ＳＧ＿ｍ）＋ａｂｓ（ＳＲ＿ｍ−ＳＢ＿ｍ）
＋ａｂｓ（ＳＧ＿ｍ−ＳＢ＿ｍ）                    式（Ｄ）
ＲＧＢ再構成部１２では、上記に式に基づいて算出されるＳが最も小さくなるような上記ｐ、ｑの組合せを抽出する。そして、この抽出されたｐ、ｑの組合せに基づいて、領域Ｄ１内の各画素の配置を変更する。
【手続補正３】
【補正対象書類名】明細書
【補正対象項目名】００６２
【補正方法】変更
【補正の内容】
【００６２】
ＳＲ＿ｍ＝ａｂｓ（Ｒ２−Ｇ２）＋ａｂｓ（Ｒ３−Ｇ３）＋ａｂｓ（Ｒ６−Ｇ６）＋ａｂｓ（Ｒ７−Ｇ７）＝ａｂｓ（０−０）＋ａｂｓ（９６−９６）＋ａｂｓ（０−０）＋ａｂｓ（９６−９６）＝０
ＳＧ＿ｍ＝ａｂｓ（Ｇ２−Ｂ２）＋ａｂｓ（Ｇ３−Ｂ３）＋ａｂｓ（Ｇ６−Ｂ６）＋ａｂｓ（Ｇ７−Ｂ７）＝ａｂｓ（０−０）＋ａｂｓ（９６−９６）＋ａｂｓ（０−０）＋ａｂｓ（９６−９６）＝０
ＳＢ＿ｍ＝ａｂｓ（Ｂ２−Ｒ３）＋ａｂｓ（Ｂ３−Ｒ４）＋ａｂｓ（Ｂ６−Ｒ７）＋ａｂｓ（Ｂ７−Ｒ８）＝ａｂｓ（０−９６）＋ａｂｓ（９６−０）＋ａｂｓ（０−９６）＋ａｂｓ（９６−０）＝３８４
また、上記の式（Ｄ）を用いて、入力画像データの領域Ｄ１におけるＲＧＢ各色の互いの差分の合計Ｓを求めると、以下のようになる。
【手続補正４】
【補正対象書類名】明細書
【補正対象項目名】０１０１
【補正方法】変更
【補正の内容】
【０１０１】
カラークロストークは、ＲＧＢのバランス（比率）が、ソースラインによる画素電圧引き込みにより、入力信号（入力階調値）に対してその比率が変わることによって起こる。ここでのＲＧＢバランスとは、ＲＧＢの各画素間において、入力階調データと隣接画素の入力階調データとの差分（例えば、Ｒの場合は、Ｒ用のソースラインとＧ用のソースラインの電圧（入力階調データ）の差）のバランスのことである。
【手続補正５】
【補正対象書類名】明細書
【補正対象項目名】０１０５
【補正方法】変更
【補正の内容】
【０１０５】
上述した実施の形態では、画像表示領域に含まれる全絵素を、縦２絵素×横２絵素（縦２画素×横６画素）の合計４絵素（１２画素）ごとに分割し、分割された各領域を一つの領域として選択した。しかし、本発明はこのような構成に限定はされず、例えば、図４に示す領域Ｄ１内の１２画素に、Ｒ１０，Ｇ１０，Ｂ１０およびＲ１１，Ｇ１１，Ｂ１１の６画素をさらに加えた合計６絵素（１８画素）を一つの領域とするような例も可能である。
【手続補正６】
【補正対象書類名】明細書
【補正対象項目名】０１２２
【補正方法】変更
【補正の内容】
【０１２２】
このデータ処理では、画像表示領域に含まれる全絵素を、縦２絵素×横２絵素（縦２画素×横６画素）の合計４絵素（１２画素）ごとに分割し、分割された各領域を一つの領域として選択する。ＲＧＢ再構成部６２では、この各領域内に含まれる画素について再構成（最配置）を行う。図１１には、ある一領域に含まれる１２画素分の画像データで構成される入力データの一例をＤａｔａＡとして示す。
【手続補正７】
【補正対象書類名】明細書
【補正対象項目名】０１４４
【補正方法】変更
【補正の内容】
【０１４４】
図１４の（ａ）に示すように、入力画像データからＢ２とＢ３とが入れ替わり、Ｂ６とＢ７とが入れ替わっている。ＲＧＢ再構成部６２では、選出されたこの組合せに基づいて、入力画像データ（ＤａｔａＡ）の各画素の階調値を入れ替える。これにより、出力画像データ（ＤａｔａＢ）の各画素の階調値は、図１４の（ｂ）に示すようになる。
【手続補正８】
【補正対象書類名】明細書
【補正対象項目名】０１５３
【補正方法】変更
【補正の内容】
【０１５３】
上述した実施の形態１では、色度変化（カラークロストーク）の改善を図ることを目的とし、上述した実施の形態２では、輝度変化（カラークロストーク）の改善を図ることを目的としていた。これに対して、本実施の形態では、色度および輝度の両方の変化を小さくすることを目的として構成された表示装置について説明する。本実施の形態では、その一例として、スイッチング素子としてＴＦＴを有し、ドット反転駆動を行うアクティブマトリクス型のカラー液晶表示装置を挙げて説明する。
【手続補正９】
【補正対象書類名】明細書
【補正対象項目名】０１５９
【補正方法】変更
【補正の内容】
【０１５９】
このデータ処理では、画像表示領域に含まれる全絵素を、縦２絵素×横２絵素（縦２画素×横６画素）の合計４絵素（１２画素）ごとに分割し、分割された各領域を一つの領域として選択する。ＲＧＢ再構成部７２では、この各領域内に含まれる画素について再構成を行う。なお、上述の実施の形態１および２では、画素の階調値自体を変えるのではなく、表示させる画素を４つの絵素内で再配置することにより再構成を行っていたが、本実施の形態では、４つの絵素の出力輝度は変えることなく、４絵素内のＲＧＢ画素の輝度の割り振り（分配）を変更することにより再構成を行う。
【手続補正１０】
【補正対象書類名】明細書
【補正対象項目名】０１７８
【補正方法】変更
【補正の内容】
【０１７８】
図１６のような階調値の場合、あるＴＦＴ液晶パネルにおいて得られる領域Ｄ１内の４つの絵素の輝度値は、例えば、以下のようになる。ここで、上記４つの絵素のうち、左上の絵素の輝度値をＵＬ、右上の絵素の輝度値をＵＲ、左下の絵素の輝度値をＤＬ、右下の絵素の輝度値をＤＲとする。
【手続補正１１】
【補正対象書類名】明細書
【補正対象項目名】０１７９
【補正方法】変更
【補正の内容】
【０１７９】
ＵＬ＝ＲＴ２＋ＧＴ２＋ＢＴ２＝Lr（0）＋Lg（0）＋Lb（96）＝４．３
ＵＲ＝ＲＴ３＋ＧＴ３＋ＢＴ３＝Lr（96）＋Lg（96）＋Lb（0）＝２３．０
ＤＬ＝ＲＴ６＋ＧＴ６＋ＢＴ６＝Lr（0）＋Lg（0）＋Lb（96）＝４．３
ＤＲ＝ＲＴ７＋ＧＴ７＋ＢＴ７＝Lr（96）＋Lg（96）＋Lb（0）＝２３．０
また、４絵素全てを含むＲＧＢ各色の輝度ＲＴ，ＧＴ，ＢＴの比は、以下のようにして求められる。
【手続補正１２】
【補正対象書類名】明細書
【補正対象項目名】０１８１
【補正方法】変更
【補正の内容】
【０１８１】
Ｒｐ’＝７０
Ｇｐ’＝６９
Ｂｐ’＝６９
また、ＲＧＢの各画素がそれぞれ上記のような階調値である場合の各画素の輝度値ＲＴｐ’、ＧＴｐ’、ＢＴｐ’（ここで、ｐは２，３，６、及び７）は、以下のようになる。
【手続補正１３】
【補正対象書類名】特許請求の範囲
【補正対象項目名】全文
【補正方法】変更
【補正の内容】
【特許請求の範囲】
【請求項１】
複数のゲートラインと、
該ゲートラインに交差するように配置された複数のソースラインと、
隣接する２本のソースラインおよび隣接する２本のゲートラインの間に設けられ、画像を構成する複数色のうちの何れかの色を有する画素電極と、
上記ゲートラインと上記ソースラインとの交差部近傍に設けられ、上記ゲートラインの一つおよび上記ソースラインの一つと接続されているスイッチング素子とを備えたアクティブマトリクス基板を有し、
上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置であって、
該表示装置の表示領域を、複数の画素電極を含む領域に分割し、該領域内に含まれる同色の画素電極間において、上記階調値の再構成を行うための再構成部を有しており、
上記再構成部は、上記隣接する２本のソースラインの間に配置され、該２本のソースラインのうちの一方に接続された画素電極の階調値と、上記２本のソースラインのうちの他方に接続された画素電極の階調値との差分の合計を算出し、上記差分の合計が再構成前の差分の合計と比較して小さくなるように、上記階調値の再構成を行うことを特徴とする表示装置。
【請求項２】
上記再構成部は、上記隣接する２本のソースラインのうちの一方に接続された画素電極の階調値と、上記隣接する２本のソースラインのうちの他方に接続された画素電極の階調値との差分の合計を色ごとに算出し、さらに、各色間での上記差分の合計が再構成前の差分の合計と比較して小さくなるように、上記階調値の再構成を行うことを特徴とする請求項１に記載の表示装置。
【請求項３】
上記再構成部は、各色間での上記差分の合計が最も小さくなるように画素電極の階調値の組合せを再構成することを特徴とする請求項２に記載の表示装置。
【請求項４】
上記画像を構成する複数色は、赤、緑、青の３色であり、
上記再構成部は、上記３色のうちの緑の画素電極については、上記階調値の再構成を行わず、各色間での上記差分の合計が再構成前の差分の合計と比較して小さくなるように、赤および青の画素電極について上記階調値の再構成を行うことを特徴とする請求項２または３に記載の表示装置。
【請求項５】
上記再構成部では、さらに、再構成前の絵素の輝度と、再構成後の絵素の輝度とが変化せず、かつ、上記領域内における各絵素全体で得られる色度が上記再構成の前後で変化しないように、上記階調値の再構成を行うことを特徴とする請求項１に記載の表示装置。
【請求項６】
上記再構成部では、
上記領域内における隣接絵素間での輝度値の差が所定値以下の場合には、上記領域内における各絵素の輝度値を平均化し、さらに、上記領域内における各絵素全体で得られる色度が上記再構成の前後で変化しないように各色の画素の階調値を配分することで、上記の階調値の再構成を行い、
上記領域内における隣接絵素間での輝度値の差が所定値よりも大きい場合には、上記領域内における各絵素の輝度値を平均化し、さらに、上記領域内における各絵素全体で得られる色度が上記再構成の前後で変化しないように各色の画素の階調値を配分した後に、再構成前の絵素の輝度と、再構成後の絵素の輝度とが変化しないように、１つの絵素内の各色の画素について同じ階調分だけ変化させて、隣接絵素間で輝度を再分配することで、上記階調値の再構成を行うことを特徴とする請求項１に記載の表示装置。
【請求項７】
複数のゲートラインと、
該ゲートラインに交差するように配置された複数のソースラインと、
隣接する２本のソースラインおよび隣接する２本のゲートラインの間に設けられ、画像を構成する複数色のうちの何れかの色を有する画素電極と、
上記ゲートラインと上記ソースラインとの交差部近傍に設けられ、上記ゲートラインの一つおよび上記ソースラインの一つと接続されているスイッチング素子とを備えたアクティブマトリクス基板を有し、
上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置であって、
該表示装置の表示領域を、複数の画素電極を含む領域に分割し、該領域内に含まれる同色の画素電極間において、上記階調値の再構成を行うための再構成部を有しており、
上記再構成部は、上記隣接する２本のソースラインの間に配置され、該２本のソースラインのうちの一方に接続された画素電極の階調値と、上記２本のソースラインのうちの他方に接続された画素電極の階調値との差分を算出し、上記差分が再構成前の差分と比較して小さくなるように、上記階調値の再構成を行うことを特徴とする表示装置。
【請求項８】
上記画素電極に入力される階調値のデータによって得られる輝度を画素電極の色ごとに見積もる階調輝度変換部をさらに備え、
上記再構成部は、上記階調輝度変換部において得られた上記領域内の各画素電極の輝度から、最も輝度の高い画素電極を選び出し、その画素電極の階調値は固定し、上記最も輝度の高い画素電極の階調値と、該画素電極を間に挟む隣接する２本のソースラインのうちの上記他方のソースラインと接続された画素電極の階調値との差分が、再構成前の差分と比較して小さくなるように、上記階調値の再構成を行うことを特徴とする請求項７に記載の表示装置。
【請求項９】
上記再構成部は、上記最も輝度の高い画素電極の階調値と上記他方のソースラインと接続された画素電極の階調値との差分が最も小さくなるように、画素電極の階調値の組合せを再構成することを特徴とする請求項８に記載の表示装置。
【請求項１０】
上記階調輝度変換部は、各色の階調値と当該階調値における出力輝度とを対応付けたルックアップテーブルを用いて、輝度を算出することを特徴とする請求項８または９に記載の表示装置。
【請求項１１】
複数のゲートラインと、
該ゲートラインに交差するように配置された複数のソースラインと、
隣接する２本のソースラインおよび隣接する２本のゲートラインの間に設けられ、画像を構成する複数色のうちの何れかの色を有する画素電極と、
上記ゲートラインと上記ソースラインとの交差部近傍に設けられ、上記ゲートラインの一つおよび上記ソースラインの一つと接続されているスイッチング素子とを備えたアクティブマトリクス基板を有し、
上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置の駆動方法であって、
該表示装置の表示領域を、複数の画素電極を含む領域に分割し、
上記領域内に含まれる同色の画素電極間において、上記隣接する２本のソースラインの間に配置され、該２本のソースラインのうちの一方に接続された画素電極の階調値と、上記２本のソースラインのうちの他方に接続された画素電極の階調値との差分の合計を算出し、
上記差分の合計が再構成前の差分の合計と比較して小さくなるように、上記階調値の再構成を行うことを特徴とする表示装置の駆動方法。
【請求項１２】
上記階調値の再構成を行う工程では、上記隣接する２本のソースラインのうちの一方に接続された画素電極の階調値と、上記隣接する２本のソースラインのうちの他方に接続された画素電極の階調値との差分の合計を色ごとに算出し、さらに、各色間での上記差分の合計が再構成前の差分の合計と比較して小さくなるように、上記階調値の再構成を行うことを特徴とする請求項１１に記載の表示装置の駆動方法。
【請求項１３】
上記階調値の再構成を行う工程では、さらに、再構成前の絵素の輝度と、再構成後の絵素の輝度とが変化せず、かつ、上記領域内における各絵素全体で得られる色度が上記再構成の前後で変化しないように、上記階調値の再構成を行うことを特徴とする請求項１１に記載の表示装置の駆動方法。
【請求項１４】
上記階調値の再構成を行う工程では、
上記領域内における隣接絵素間での輝度値の差が所定値以下の場合には、上記領域内における各絵素の輝度値を平均化し、さらに、上記領域内における各絵素全体で得られる色度が上記再構成の前後で変化しないように各色の画素の階調値を配分することで、上記の階調値の再構成を行い、
上記領域内における隣接絵素間での輝度値の差が所定値よりも大きい場合には、上記領域内における各絵素の輝度値を平均化し、さらに、上記領域内における各絵素全体で得られる色度が上記再構成の前後で変化しないように各色の画素の階調値を配分した後に、再構成前の絵素の輝度と、再構成後の絵素の輝度とが変化しないように、１つの絵素内の各色の画素について同じ階調分だけ変化させて、隣接絵素間で輝度を再分配することで、上記階調値の再構成を行うことを特徴とする請求項１１に記載の表示装置の駆動方法。
【請求項１５】
複数のゲートラインと、
該ゲートラインに交差するように配置された複数のソースラインと、
隣接する２本のソースラインおよび隣接する２本のゲートラインの間に設けられ、画像を構成する複数色のうちの何れかの色を有する画素電極と、
上記ゲートラインと上記ソースラインとの交差部近傍に設けられ、上記ゲートラインの一つおよび上記ソースラインの一つと接続されているスイッチング素子とを備えたアクティブマトリクス基板を有し、
上記スイッチング素子において、接続された上記ゲートラインに入力される走査信号が導通を指示した場合に、接続された上記ソースラインと上記画素電極とを電気的に接続させることで各画素電極が所定の階調値に基づく透過率の画像表示を行う表示装置の駆動方法であって、
該表示装置の表示領域を、複数の画素電極を含む領域に分割し、
上記領域内に含まれる同色の画素電極間において、上記隣接する２本のソースラインの間に配置され、該２本のソースラインのうちの一方に接続された画素電極の階調値と、上記２本のソースラインのうちの他方に接続された画素電極の階調値との差分を算出し、
上記差分が再構成前の差分と比較して小さくなるように、上記階調値の再構成を行うことを特徴とする表示装置の駆動方法。
【請求項１６】
上記画素電極に入力される階調値のデータによって得られる輝度を画素電極の色ごとに見積もる階調輝度変換工程をさらに含み、
上記階調値の再構成を行う工程では、上記階調輝度変換工程において得られた上記領域内の各画素電極の輝度から、最も輝度の高い画素電極を選び出し、その画素電極の階調値は固定し、上記最も輝度の高い画素電極の階調値と、該画素電極を間に挟む隣接する２本のソースラインのうちの上記他方のソースラインと接続された画素電極の階調値との差分が、再構成前の差分と比較して小さくなるように、上記階調値の再構成を行うことを特徴とする請求項１５に記載の表示装置の駆動方法。
【国際調査報告】
2011083606.tif 000030
2011083606.tif 000031